(57)【要約】  本出願の実施形態は、ダウンリンク制御情報（ＤＣＩ）を送信するための方法および装置を提供し、従来のプロトコルおよび通信システムに、サウンディング基準信号リソースインジケータ（ＳＲＩ）および送信プリコーダマトリックスインジケータ（ＴＰＭＩ）／送信ランクインジケータ（ＴＲＩ）情報をエンコーディングする方法がない従来の問題を解決する。前記方法では、ネットワーク装置は、ＤＣＩ内の所定の指示フィールドによって運ばれる所定の指示情報の候補値の数を決定し、前記所定の指示情報は、ＳＲＩ、ＴＰＭＩ／ＴＲＩ情報のうちの少なくとも１つを含み、ネットワーク装置は、前記所定の指示情報の候補値の数に従って前記所定の指示フィールドの長さを決定し、前記長さに従って前記所定の指示情報をエンコーディングし、前記ＤＣＩを生成し、ネットワーク装置は、ＵＥに前記ＤＣＩを送信する。
2020523931.tif 000002
【特許請求の範囲】
【請求項１】
ネットワーク装置が、ダウンリンク制御情報（ＤＣＩ）内の所定の指示フィールドによって運ばれる所定の指示情報の候補値を決定するステップであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用の前記ネットワーク装置によって構成されるサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示す、ステップと、
前記ネットワーク装置が、前記所定の指示情報の候補値に従って前記所定の指示情報をエンコーディングし、前記ＤＣＩを生成するステップと、
前記ネットワーク装置が、前記ＵＥに前記ＤＣＩを送信するステップと
を有することを特徴とするダウンリンク制御情報（ＤＣＩ）を送信するための方法。
【請求項２】
前記所定の指示情報は、前記ＳＲＩと前記ＴＰＭＩ／ＴＲＩ情報の組み合わせを含み、
前記ネットワーク装置は、ＤＣＩ内の所定の指示フィールドによって運ばれる所定の指示情報の候補値を決定するとき、
前記ＳＲＩのすべての値を決定し、
前記ＵＥが前記ＳＲＩの各値に示されるＳＲＳリソース上でＳＲＳを送信するときの可能なプリコーダマトリックスを決定し、
前記プリコーダマトリックスを前記所定の指示情報の候補値とすることを特徴とする請求項１に記載のダウンリンク制御情報（ＤＣＩ）を送信するための方法。
【請求項３】
前記ネットワーク装置は、前記所定の指示情報の候補値に従って前記所定の指示情報をエンコーディングするとき、
前記ネットワーク装置は、前記所定の指示情報の候補値の数に従って、前記所定の指示フィールドの長さを決定し、前記長さに従って前記所定の指示情報をエンコーディングすることを特徴とする請求項１に記載のダウンリンク制御情報（ＤＣＩ）を送信するための方法。
【請求項４】
前記所定の指示情報は前記ＳＲＩを含み、
前記所定の指示情報の前記候補値の数は、前記ＵＥ用に構成されたＳＲＳリソースの総数であり、または、
前記所定の指示情報の前記候補値の数は、前記ＵＥによってサポートされる送信ビームフォーミングの最大数であり、または、
前記所定の指示情報の前記候補値の数は、所定値であることを特徴とする請求項３に記載のダウンリンク制御情報（ＤＣＩ）を送信するための方法。
【請求項５】
前記所定の指示情報は前記ＴＰＭＩ／ＴＲＩ情報を含み、
前記ネットワーク装置は、ＤＣＩ内の所定の指示フィールドによって運ばれる所定の指示情報の候補値を決定する前に、さらに、
前記ＵＥ用に構成されたＳＲＳリソースのいずれか上でＳＲＳを送信するときの可能なプリコーダマトリックスを決定し、ＳＲＳリソースと利用可能なプリコーダマトリックスの間のマッピングを確立し、
前記ネットワーク装置は、ＤＣＩ内の所定の指示フィールドによって運ばれる所定の指示情報の候補値を決定するとき、
前記ＤＣＩによって示されるターゲットＳＲＳリソースを決定し、
前記マッピングに従って前記ターゲットＳＲＳリソースに対応する利用可能なプリコーダマトリックスを決定し、前記ターゲットＳＲＳリソースに対応する利用可能なプリコーダマトリックスを、前記所定の指示情報の候補値とすることを特徴とする請求項１に記載のダウンリンク制御情報（ＤＣＩ）を送信するための方法。
【請求項６】
前記所定の指示情報は前記ＴＰＭＩ／ＴＲＩ情報を含み、
前記ネットワーク装置は、前記所定の指示情報の候補値の数に従って、前記所定の指示フィールドの長さを決定するとき、
前記ＵＥ用に構成されたＳＲＳリソースの中でプリコーダマトリックスの数が最大であるＳＲＳリソースに対応する所定の指示フィールドの長さとして、前記所定の指示フィールドの長さを決定することを特徴とする請求項３に記載のダウンリンク制御情報（ＤＣＩ）を送信するための方法。
【請求項７】
前記所定の指示情報は前記ＴＰＭＩ／ＴＲＩ情報を含み、
前記ネットワーク装置は、前記所定の指示情報の候補値に従って前記所定の指示情報をエンコーディングするとき、
前記ＵＥ用に構成されたＳＲＳリソースのいずれかに対応するアンテナポートの数を決定し、
前記アンテナポートの数の最大値に従って前記所定の指示フィールドの長さを決定し、前記長さに従って前記所定の指示情報をエンコーディングすることを特徴とする請求項１に記載のダウンリンク制御情報（ＤＣＩ）を送信するための方法。
【請求項８】
前記ＵＥ用に構成されたＳＲＳリソースのいずれか上でＳＲＳを送信するときの可能なプリコーダマトリックスを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスを決定し、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定することを特徴とする請求項５に記載のダウンリンク制御情報（ＤＣＩ）を送信するための方法。
【請求項９】
前記第１のＳＲＳリソースに対応するＴＲＩのすべての値を決定するとき、
前記第１のＳＲＳリソースに対応するアンテナポートの数に従って、前記第１のＳＲＳリソースに対応するＴＲＩのすべての値を決定し、および／または
前記ＵＥによってサポートされるデータストリームの最大数に従って、前記第１のＳＲＳリソースに対応するＴＲＩのすべての値を決定し、および／または
前記ＵＥ用の前記ネットワーク装置によって構成されたデータストリームの最大数に従って、前記第１のＳＲＳリソースに対応するＴＲＩのすべての値を決定することを特徴とする請求項８に記載のダウンリンク制御情報（ＤＣＩ）を送信するための方法。
【請求項１０】
前記ＴＲＩのいずれかに対応する利用可能なプリコーダマトリックスを決定するとき、
前記第１のＳＲＳリソースに対応するアンテナポートの数またはＵＥによって許容されたアンテナポートの最大数に従って、前記ＴＲＩのいずれかに対応する利用可能なプリコーダマトリックスを決定することを特徴とする請求項８に記載のダウンリンク制御情報（ＤＣＩ）を送信するための方法。
【請求項１１】
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定するとき、
前記ＴＲＩのいずれかに対応する利用可能なプリコーダマトリックスに従って、前記ＴＲＩのすべての値に対応する利用可能なプリコーダマトリックスの集合を、前記ＵＥが前記第１のＳＲＳリソース上でＳＲＳを送信するときの利用可能なプリコーダマトリックスとすることを特徴とする請求項８に記載のダウンリンク制御情報（ＤＣＩ）を送信するための方法。
【請求項１２】
前記所定の指示情報は前記ＴＰＭＩ／ＴＲＩ情報を含み、
前記ネットワーク装置は、前記所定の指示情報の候補値の数に従って、前記所定の指示フィールドの長さを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を、前記ＵＥが前記第１のＳＲＳリソース上でＳＲＳを送信するときの前記所定の指示情報の候補値の数とすることを特徴とする請求項３に記載のダウンリンク制御情報（ＤＣＩ）を送信するための方法。
【請求項１３】
前記所定の指示情報は前記ＴＰＭＩ／ＴＲＩ情報を含み、
前記ダウンリンク制御情報（ＤＣＩ）内の所定の指示フィールドによって運ばれる所定の指示情報の候補値を決定するとき、
ＤＣＩによって示されるＳＲＩに対応するアンテナポートの数またはＵＥによって許容されたアンテナポートの最大数に従って、前記所定の指示情報の候補値を決定することを特徴とする請求項１に記載のダウンリンク制御情報（ＤＣＩ）を送信するための方法。
【請求項１４】
前記所定の指示情報は、前記ＳＲＩと前記ＴＰＭＩ／ＴＲＩ情報の組み合わせを含み、
前記ダウンリンク制御情報（ＤＣＩ）内の所定の指示フィールドによって運ばれる所定の指示情報の候補値を決定するとき、
ＳＲＩの可能な値の数およびＳＲＩのいずれかに対応するアンテナポートの数に従って、前記所定の指示情報の候補値を決定し、または、
ＳＲＩの可能な値の数およびＵＥによって許容されたアンテナポートの最大数に従って、前記所定の指示情報の候補値を決定することを特徴とする請求項１に記載のダウンリンク制御情報（ＤＣＩ）を送信するための方法。
【請求項１５】
前記所定の指示情報はＴＰＭＩ／ＴＲＩ情報を含み、
前記ネットワーク装置は、前記所定の指示情報の候補値に従って前記所定の指示情報をエンコーディングするとき、
ユーザー機器（ＵＥ）用のネットワーク装置によって構成されたデータストリームの最大数に従って、前記所定の指示フィールドの長さを決定し、前記長さに従って前記所定の指示情報をエンコーディングし、および／または
前記ＵＥによってサポートされるデータストリームの最大数に従って前記所定の指示フィールドの長さを決定し、前記長さに従って前記所定の指示情報をエンコーディングし、および／または
ユーザー機器（ＵＥ）用のネットワーク装置によって構成されたＳＲＳリソースに対応するアンテナポートの数に従って、前記所定の指示フィールドの長さを決定し、前記長さに従って前記所定の指示情報をエンコーディングすることを特徴とする請求項１に記載のダウンリンク制御情報（ＤＣＩ）を送信するための方法。
【請求項１６】
ユーザー機器（ＵＥ）が、ダウンリンク制御情報（ＤＣＩ）内の所定の指示フィールドによって運ばれる所定の指示情報の候補値を決定するステップであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器用のネットワーク装置によって構成されるサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示す、ステップと、
前記ＵＥが、前記ＤＣＩを受信し、前記所定の指示情報の候補値に従って前記所定の指示情報をデコーディングするステップと
を有することを特徴とするダウンリンク制御情報（ＤＣＩ）を受信するための方法。
【請求項１７】
前記所定の指示情報は、前記ＳＲＩと前記ＴＰＭＩ／ＴＲＩ情報の組み合わせを含み、
前記ＵＥは、ＤＣＩ内の所定の指示フィールドによって運ばれる所定の指示情報の候補値を決定するとき、
前記ＳＲＩのすべての値を決定し、
前記ＵＥが前記ＳＲＩの各値に示されるＳＲＳリソース上でＳＲＳを送信するときの可能なプリコーダマトリックスを決定し、
前記プリコーダマトリックスを前記所定の指示情報の候補値とすることを特徴とする請求項１６に記載のダウンリンク制御情報（ＤＣＩ）を受信するための方法。
【請求項１８】
前記所定の指示情報の候補値に従って前記所定の指示情報をデコーディングするとき、
前記ＵＥは、前記所定の指示情報の候補値の数に従って、前記所定の指示フィールドの長さを決定し、前記長さに従って前記所定の指示情報をデコーディングすることを特徴とする請求項１６に記載のダウンリンク制御情報（ＤＣＩ）を受信するための方法。
【請求項１９】
前記所定の指示情報は前記ＳＲＩを含み、
前記所定の指示情報の候補値の数は、前記ＵＥ用に構成されたＳＲＳリソースの総数であり、または、
前記所定の指示情報の候補値の数は、前記ＵＥによってサポートされる送信ビームフォーミングの最大数であり、または、
前記所定の指示情報の候補値の数は、所定値であることを特徴とする請求項１８に記載のダウンリンク制御情報（ＤＣＩ）を受信するための方法。
【請求項２０】
前記所定の指示情報は前記ＴＰＭＩ／ＴＲＩ情報を含み、
前記ＵＥは、ＤＣＩ内の所定の指示フィールドによって運ばれる所定の指示情報の候補値を決定する前に、さらに、
前記ＵＥ用に構成されたＳＲＳリソースのいずれか上でＳＲＳを送信するときの可能なプリコーダマトリックスを決定し、ＳＲＳリソースと利用可能なプリコーダマトリックスの間のマッピングを確立し、
前記ＵＥは、ＤＣＩ内の所定の指示フィールドによって運ばれる所定の指示情報の候補値を決定するとき、
前記ＤＣＩによって示されるターゲットＳＲＳリソースを決定し、
前記マッピングに従って前記ターゲットＳＲＳリソースに対応する利用可能なプリコーダマトリックスを決定し、前記ターゲットＳＲＳリソースに対応する利用可能なプリコーダマトリックスを、前記所定の指示情報の候補値とすることを特徴とする請求項１６に記載のダウンリンク制御情報（ＤＣＩ）を受信するための方法。
【請求項２１】
前記所定の指示情報は前記ＴＰＭＩ／ＴＲＩ情報を含み、
前記ＵＥは、前記所定の指示情報の候補値の数に従って、前記所定の指示フィールドの長さを決定するとき、
前記ＵＥ用に構成されたＳＲＳリソースの中でプリコーダマトリックスの数が最大であるＳＲＳリソースに対応する所定の指示フィールドの長さとして、前記所定の指示フィールドの長さを決定することを特徴とする請求項１８に記載のダウンリンク制御情報（ＤＣＩ）を受信するための方法。
【請求項２２】
前記所定の指示情報は前記ＴＰＭＩ／ＴＲＩ情報を含み、
前記所定の指示情報の候補値に従って前記所定の指示情報をデコーディングするとき、
前記ＵＥ用に構成されたＳＲＳリソースのいずれかに対応するアンテナポートの数を決定し、
前記アンテナポートの数の最大値に従って前記所定の指示フィールドの長さを決定し、前記長さに従って前記所定の指示情報をデコーディングすることを特徴とする請求項１６に記載のダウンリンク制御情報（ＤＣＩ）を受信するための方法。
【請求項２３】
前記ＵＥ用に構成されたＳＲＳリソースのいずれか上でＳＲＳを送信するときの可能なプリコーダマトリックスを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスを決定し、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定することを特徴とする請求項２０に記載のダウンリンク制御情報（ＤＣＩ）を受信するための方法。
【請求項２４】
前記第１のＳＲＳリソースに対応するＴＲＩのすべての値を決定するとき、
前記第１のＳＲＳリソースに対応するアンテナポートの数に従って、前記第１のＳＲＳリソースに対応するＴＲＩのすべての値を決定し、および／または
前記ＵＥによってサポートされるデータストリームの最大数に従って、前記第１のＳＲＳリソースに対応するＴＲＩのすべての値を決定し、および／または
前記ＵＥ用の前記ネットワーク装置によって構成されたデータストリームの最大数に従って、前記第１のＳＲＳリソースに対応するＴＲＩのすべての値を決定することを特徴とする請求項２３に記載のダウンリンク制御情報（ＤＣＩ）を受信するための方法。
【請求項２５】
前記ＴＲＩのいずれかに対応する利用可能なプリコーダマトリックスを決定するとき、
前記第１のＳＲＳリソースに対応するアンテナポートの数またはＵＥによって許容されたアンテナポートの最大数に従って、前記ＴＲＩのいずれかに対応する利用可能なプリコーダマトリックスを決定することを特徴とする請求項２３に記載のダウンリンク制御情報（ＤＣＩ）を受信するための方法。
【請求項２６】
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定するとき、
前記ＴＲＩのいずれかに対応する利用可能なプリコーダマトリックスに従って、前記ＴＲＩのすべての値に対応する利用可能なプリコーダマトリックスの集合を、前記ＵＥが前記第１のＳＲＳリソース上でＳＲＳを送信するときの利用可能なプリコーダマトリックスとすることを特徴とする請求項２３に記載のダウンリンク制御情報（ＤＣＩ）を受信するための方法。
【請求項２７】
前記所定の指示情報は前記ＴＰＭＩ／ＴＲＩ情報を含み、
前記所定の指示情報の候補値の数に従って、前記所定の指示フィールドの長さを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を、前記ＵＥが前記第１のＳＲＳリソース上でＳＲＳを送信するときの前記所定の指示情報の候補値の数とすることを特徴とする請求項１８に記載のダウンリンク制御情報（ＤＣＩ）を受信するための方法。
【請求項２８】
前記所定の指示情報は前記ＴＰＭＩ／ＴＲＩ情報を含み、
前記ダウンリンク制御情報（ＤＣＩ）内の所定の指示フィールドによって運ばれる所定の指示情報の候補値を決定するとき、
ＤＣＩによって示されるＳＲＩに対応するアンテナポートの数またはＵＥによって許容されたアンテナポートの最大数に従って、前記所定の指示情報の候補値を決定することを特徴とする請求項１６に記載のダウンリンク制御情報（ＤＣＩ）を受信するための方法。
【請求項２９】
前記所定の指示情報は、前記ＳＲＩと前記ＴＰＭＩ／ＴＲＩ情報の組み合わせを含み、
前記ダウンリンク制御情報（ＤＣＩ）内の所定の指示フィールドによって運ばれる所定の指示情報の候補値を決定するとき、
ＳＲＩの可能な値の数およびＳＲＩのいずれかに対応するアンテナポートの数に従って、前記所定の指示情報の候補値を決定し、または、
ＳＲＩの可能な値の数およびＵＥによって許容されたアンテナポートの最大数に従って、前記所定の指示情報の候補値を決定することを特徴とする請求項１６に記載のダウンリンク制御情報（ＤＣＩ）を受信するための方法。
【請求項３０】
前記所定の指示情報はＴＰＭＩ／ＴＲＩ情報を含み、
前記所定の指示情報の候補値に従って前記所定の指示情報をデコーディングするとき、
ユーザー機器（ＵＥ）用のネットワーク装置によって構成されたデータストリームの最大数に従って、前記所定の指示フィールドの長さを決定し、前記長さに従って前記所定の指示情報をデコーディングし、および／または
前記ＵＥによってサポートされるデータストリームの最大数に従って前記所定の指示フィールドの長さを決定し、前記長さに従って前記所定の指示情報をデコーディングし、および／または
ユーザー機器（ＵＥ）用のネットワーク装置によって構成されたＳＲＳリソースに対応するアンテナポートの数に従って、前記所定の指示フィールドの長さを決定し、前記長さに従って前記所定の指示情報をデコーディングすることを特徴とする請求項１６に記載のダウンリンク制御情報（ＤＣＩ）を受信するための方法。
【請求項３１】
ダウンリンク制御情報（ＤＣＩ）内の所定の指示フィールドによって運ばれる所定の指示情報の候補値を決定するように構成された第１の決定ユニットと、
前記所定の指示情報の候補値に従って前記所定の指示情報をエンコーディングし、前記ＤＣＩを生成するように構成された第１のエンコーディングユニットと、
ユーザー機器（ＵＥ）に前記ＤＣＩを送信するように構成された第１の送信ユニットと
を備え、
前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ＵＥ用の前記装置によって構成されたサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示すことを特徴とするダウンリンク制御情報（ＤＣＩ）を送信するための装置。
【請求項３２】
前記所定の指示情報は、前記ＳＲＩと前記ＴＰＭＩ／ＴＲＩ情報の組み合わせを含み、
前記第１の決定ユニットは、前記ＳＲＩのすべての値を決定し、前記ＵＥが前記ＳＲＩの各値に示されるＳＲＳリソース上でＳＲＳを送信するときの可能なプリコーダマトリックスの数を決定し、前記ＳＲＩのすべての値に対応する利用可能なプリコーダマトリックスを決定し、前記プリコーダマトリックスを前記所定の指示情報の候補値とすることを特徴とする請求項３１に記載のダウンリンク制御情報（ＤＣＩ）を送信するための装置。
【請求項３３】
前記第１のエンコーディングユニットは、前記所定の指示情報の候補値に従って前記所定の指示情報をエンコーディングするとき、
前記第１のエンコーディングユニットは、前記所定の指示情報の候補値の数に従って、前記所定の指示フィールドの長さを決定し、前記長さに従って前記所定の指示情報をエンコーディングすることを特徴とする請求項３１に記載のダウンリンク制御情報（ＤＣＩ）を送信するための装置。
【請求項３４】
前記所定の指示情報は前記ＳＲＩを含み、
前記所定の指示情報の前記候補値の数は、前記ＵＥ用に構成されたＳＲＳリソースの総数であり、または、
前記所定の指示情報の前記候補値の数は、前記ＵＥによってサポートされる送信ビームフォーミングの最大数であり、または、
前記所定の指示情報の前記候補値の数は、所定値であることを特徴とする請求項３３に記載のダウンリンク制御情報（ＤＣＩ）を送信するための装置。
【請求項３５】
前記所定の指示情報は前記ＴＰＭＩ／ＴＲＩ情報を含み、
前記第１の決定ユニットは、ＤＣＩ内の所定の指示フィールドによって運ばれる所定の指示情報の候補値を決定する前に、
前記ＵＥ用に構成されたＳＲＳリソースのいずれか上でＳＲＳを送信するときの可能なプリコーダマトリックスを決定し、ＳＲＳリソースと利用可能なプリコーダマトリックスの間のマッピングを確立し、
前記ＤＣＩによって示されるターゲットＳＲＳリソースを決定し、
前記マッピングに従って前記ターゲットＳＲＳリソースに対応する利用可能なプリコーダマトリックスを決定し、前記ターゲットＳＲＳリソースに対応する利用可能なプリコーダマトリックスを、前記所定の指示情報の候補値とすることを特徴とする請求項３１に記載のダウンリンク制御情報（ＤＣＩ）を送信するための装置。
【請求項３６】
前記所定の指示情報は前記ＴＰＭＩ／ＴＲＩ情報を含み、
前記第１の決定ユニットは、前記所定の指示情報の候補値の数に従って、前記所定の指示フィールドの長さを決定するとき、
前記ＵＥ用に構成されたＳＲＳリソースの中でプリコーダマトリックスの数が最大であるＳＲＳリソースに対応する所定の指示フィールドの長さとして、前記所定の指示フィールドの長さを決定することを特徴とする請求項３３に記載のダウンリンク制御情報（ＤＣＩ）を送信するための装置。
【請求項３７】
前記所定の指示情報は前記ＴＰＭＩ／ＴＲＩ情報を含み、
前記第１の決定ユニットは、前記所定の指示情報の候補値に従って前記所定の指示情報をエンコーディングするとき、
前記ＵＥ用に構成されたＳＲＳリソースのいずれかに対応するアンテナポートの数を決定し、
前記アンテナポートの数の最大値に従って前記所定の指示フィールドの長さを決定し、前記長さに従って前記所定の指示情報をエンコーディングすることを特徴とする請求項３１に記載のダウンリンク制御情報（ＤＣＩ）を送信するための装置。
【請求項３８】
前記第１の決定ユニットは、前記ＵＥ用に構成されたＳＲＳリソースのいずれか上でＳＲＳを送信するときの可能なプリコーダマトリックスを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスを決定し、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定することを特徴とする請求項３５に記載のダウンリンク制御情報（ＤＣＩ）を送信するための装置。
【請求項３９】
前記第１の決定ユニットは、第１のＳＲＳリソースに対応するＴＲＩのすべての値を決定するとき、
前記第１のＳＲＳリソースに対応するアンテナポートの数に従って、前記第１のＳＲＳリソースに対応するＴＲＩのすべての値を決定し、および／または
前記ＵＥによってサポートされるデータストリームの最大数に従って、前記第１のＳＲＳリソースに対応するＴＲＩのすべての値を決定し、および／または
前記ＵＥ用の前記装置によって構成されたデータストリームの最大数に従って、前記第１のＳＲＳリソースに対応するＴＲＩのすべての値を決定することを特徴とする請求項３８に記載のダウンリンク制御情報（ＤＣＩ）を送信するための装置。
【請求項４０】
前記第１の決定ユニットは、前記ＴＲＩのいずれかに対応する利用可能なプリコーダマトリックスを決定するとき、
前記第１のＳＲＳリソースに対応するアンテナポートの数またはＵＥによって許容されたアンテナポートの最大数に従って、前記ＴＲＩのいずれかに対応する利用可能なプリコーダマトリックスを決定することを特徴とする請求項３８に記載のダウンリンク制御情報（ＤＣＩ）を送信するための装置。
【請求項４１】
前記第１の決定ユニットは、前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定するとき、
前記ＴＲＩのいずれかに対応する利用可能なプリコーダマトリックスに従って、前記ＴＲＩのすべての値に対応する利用可能なプリコーダマトリックスの集合を、前記ＵＥが前記第１のＳＲＳリソース上でＳＲＳを送信するときの利用可能なプリコーダマトリックスとすることを特徴とする請求項３８に記載のダウンリンク制御情報（ＤＣＩ）を送信するための装置。
【請求項４２】
前記所定の指示情報は前記ＴＰＭＩ／ＴＲＩ情報を含み、
前記第２の決定ユニットは、前記所定の指示情報の候補値の数に従って、前記所定の指示フィールドの長さを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を、前記ＵＥが前記第１のＳＲＳリソース上でＳＲＳを送信するときの前記所定の指示情報の候補値の数とすることを特徴とする請求項３３に記載のダウンリンク制御情報（ＤＣＩ）を送信するための装置。
【請求項４３】
前記所定の指示情報は前記ＴＰＭＩ／ＴＲＩ情報を含み、
前記ダウンリンク制御情報（ＤＣＩ）内の所定の指示フィールドによって運ばれる所定の指示情報の候補値を決定するとき、
ＤＣＩによって示されるＳＲＩに対応するアンテナポートの数またはＵＥによって許容されたアンテナポートの最大数に従って、前記所定の指示情報の候補値を決定することを特徴とする請求項３１に記載のダウンリンク制御情報（ＤＣＩ）を送信するための装置。
【請求項４４】
前記所定の指示情報は、前記ＳＲＩと前記ＴＰＭＩ／ＴＲＩ情報の組み合わせを含み、
前記第２の決定ユニットは、ダウンリンク制御情報（ＤＣＩ）内の所定の指示フィールドによって運ばれる所定の指示情報の候補値を決定するとき、
ＳＲＩの可能な値の数およびＳＲＩのいずれかに対応するアンテナポートの数に従って、前記所定の指示情報の候補値を決定し、または、
ＳＲＩの可能な値の数およびＵＥによって許容されたアンテナポートの最大数に従って、前記所定の指示情報の候補値を決定することを特徴とする請求項３１に記載のダウンリンク制御情報（ＤＣＩ）を送信するための装置。
【請求項４５】
前記所定の指示情報はＴＰＭＩ／ＴＲＩ情報を含み、
前記所定の指示情報の候補値に従って前記所定の指示情報をエンコーディングするとき、
ユーザー機器（ＵＥ）用のネットワーク装置によって構成されたデータストリームの最大数に従って、前記所定の指示フィールドの長さを決定し、前記長さに従って前記所定の指示情報をエンコーディングし、および／または
前記ＵＥによってサポートされるデータストリームの最大数に従って前記所定の指示フィールドの長さを決定し、前記長さに従って前記所定の指示情報をエンコーディングし、および／または
ユーザー機器（ＵＥ）用のネットワーク装置によって構成されたＳＲＳリソースに対応するアンテナポートの数に従って、前記所定の指示フィールドの長さを決定し、前記長さに従って前記所定の指示情報をエンコーディングすることを特徴とする請求項３１に記載のダウンリンク制御情報（ＤＣＩ）を送信するための装置。
【請求項４６】
ダウンリンク制御情報（ＤＣＩ）内の所定の指示フィールドによって運ばれる所定の指示情報の候補値を決定するように構成された第３の決定ユニットと、
前記ＤＣＩを受信し、前記所定の指示情報の候補値に従って前記所定の指示情報をデコーディングするように構成された受信ユニットと
を備え、
前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器用のネットワーク装置によって構成されるサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示すことを特徴とするダウンリンク制御情報（ＤＣＩ）を受信するための装置。
【請求項４７】
プログラム命令を格納するように構成されたメモリと、
前記メモリに格納されたプログラム命令を読み出し、取得されたプログラムに従って請求項１から１５のいずれか一項に記載の方法を実行するように構成されたプロセッサと
を備えることを特徴とするダウンリンク制御情報（ＤＣＩ）を送信するための装置。
【請求項４８】
プログラム命令を格納するように構成されたメモリと、
前記メモリに格納されたプログラム命令を読み出し、取得されたプログラムに従って請求項１６から３０のいずれか一項に記載の方法を実行するように構成されたプロセッサと
を備えることを特徴とするダウンリンク制御情報（ＤＣＩ）を受信するための装置。
【請求項４９】
プロセッサによって実行されると、請求項１から３０のいずれか一項に記載の方法を実行するように構成されたコンピュータプログラムを記憶することを特徴とするコンピュータ可読記憶媒体。
【発明の詳細な説明】
【技術分野】
【０００１】
本出願は、２０１７年６月１６日に中国特許局に提出した、出願番号が第２０１７１０４５９７６５．５号であり、発明の名称が「ダウンリンク制御情報（ＤＣＩ）を送信するための方法および装置」である中国特許出願を基礎とする優先権を主張し、その開示の総てをここに取り込む。
【０００２】
本発明は、無線通信技術分野に関し、特に、ダウンリンク制御情報（ＤＣＩ）を送信するための方法および装置に関する。
【背景技術】
【０００３】
ピークレートの改善、およびシステムスペクトルの利用率の改善に対するＭＩＭＯ（Ｍｕｌｔｉｐｌｅ−Ｉｎｐｕｔ Ｍｕｌｔｉｐｌｅ−Ｏｕｔｐｕｔ）技術の重要性を考慮して、ロングタームエボリューション（Ｌｏｎｇ Ｔｅｒｍ Ｅｖｏｌｕｔｉｏｎ，ＬＴＥ）および高度なＬＴＥ（ＬＴＥ−Ａ）などの無線アクセス技術標準は、ＭＩＭＯ技術と直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）技術に基づいて構築されている。ＭＩＭＯ技術のパフォーマンス向上は、マルチアンテナシステムで利用できるスペースの自由度に起因するため、標準化されているＭＩＭＯ技術の最も重要な進化の側面は、拡張された次元である。
【０００４】
ＬＴＥ Ｒｅｌ−８では、最大で４つのＭＩＭＯ伝送の層をサポートすることができる。ＬＴＥ Ｒｅｌ−９は、強化されたマルチユーザーＭＩＭＯ（Ｍｕｌｔｉ−Ｕｓｅｒ ＭＩＭＯ，ＭＵ−ＭＩＭＯ）技術に重点を置いており、伝送モード（Ｔｒａｎｓｍｉｓｓｉｏｎ Ｍｏｄｅ，ＴＭ）−８のＭＵ−ＭＩＭＯ伝送で最大４つのダウンリンクデータレイヤーをサポートできる。ＬＴＥ Ｒｅｌ−１０では、８つのアンテナポートのサポートが導入され、チャネル状態態情報の空間分解能がさらに向上し、シングルユーザーＭＩＭＯ（Ｓｉｎｇｌｅ−Ｕｓｅｒ ＭＩＭＯ，ＳＵ−ＭＩＭＯ）の伝送容量が最大８つのデータレイヤーにさらに拡張された。ＬＴＥ Ｒｅｌ−１３およびＲｅｌ−１４には、３２のポートをサポートするフルディメンションＭＩＭＩ（Ｆｕｌｌ−Ｄｉｍｅｎｓｉｏｎ ＭＩＭＯ，ＦＤ−ＭＩＭＯ）技術が導入されており、これによりフルディメンションと垂直ビームフォーミングを実現する。
【０００５】
ＭＩＭＯテクノロジーをさらに改善するために、アンテナの大規模アレイ技術が移動通信システムに導入されている。基地局の場合、全デジタルの大規模アンテナアレイには、１２８、２５６、または５１２個のアンテナ素子と、各アンテナ素子が送受信機の１つに接続されている１２８、２５６、または５１２個の送受信機を含めることができる。端末がチャネル状態情報を測定してフィードバックするように、１２８、２５６、または５１２アンテナポートのパイロット信号が送信される。端末は、３２個または６４個のアンテナ素子を含むアンテナのアレイで構成することもできる。基地局側と端末側の両方でのビームフォーミングにより、ビームフォーミングに起因する信号減衰を補償するために、大きなビームフォーミングゲインが獲得できる。特に高周波数帯域、たとえば周波数３０ ＧＨｚでの通信中の経路損失のため、無線信号のカバレッジエリアは非常に限られている。無線信号のカバレッジエリアは、アンテナの大規模なアレイ技術を使用して使用可能なエリアに拡張できる。
【０００６】
通信システム（たとえば、無線アクセス、ＮＲ，Ｎｅｗ Ｒａｄｉｏなど）では、基地局および端末のビームフォーミング利得を達成するために、端末がアップリンクで送信するときに端末の送信ビームのビームフォーミングを考慮すべきである。アップリンクビームを管理するために、基地局は端末に１つ以上のサウンディング基準信号（Ｓｏｕｎｄｉｎｇ Ｒｅｆｅｒｅｎｃｅ Ｓｉｇｎａｌ，ＳＲＳ）リソースを設定できる。端末は、各ＳＲＳリソースで１つ以上の送信ビーム（Ｔｘ ｂｅａｍ）を使用してＳＲＳ信号を送信する。これらのＳＲＳ信号を受信した後、基地局は、これらのＳＲＳに対応するチャネル状態に従って、最適なＳＲＳリソース（当該リソースに対応するサウンディング基準信号リソースインジケータ（Ｔｒａｎｓｍｉｔ ＳＲＳ，ＳＲＩ））と、対応する送信プリコーダマトリックスインジケータ（Ｔｒａｎｓｍｉｔ Ｐｒｅｃｏｄｅｒ Ｍｅｔｒｉｃ Ｉｎｄｉｃａｔｏｒ，ＴＰＭＩ）および送信ランクインジケータ（Ｔｒａｎｓｍｉｔ Ｒａｎｋ Ｉｎｄｉｃａｔｏｒ，ＴＲＩ）を決定して端末のアップリンクデータ送信のために端末に送信する。
【発明の概要】
【発明が解決しようとする課題】
【０００７】
既存のプロトコルおよび通信システムにおいてＳＲＩおよび送信プリコーダマトリックスインジケータ（ＴＰＭＩ）／送信ランクインジケータ（ＴＲＩ）情報をエンコーディングする方法はない。
【０００８】
本出願は、ダウンリンク制御情報（ＤＣＩ）を送信するための方法および装置を提供して、既存のプロトコルおよび通信システムにおいてＳＲＩおよび送信プリコーダマトリックスインジケータ／送信ランクインジケータ情情報をエンコーディングする方法がないという技術的問題を解決する。
【課題を解決するための手段】
【０００９】
本出願の実施形態の第１の態様によるダウンリンク制御情報（ＤＣＩ）を送信するための方法は、
ネットワーク装置が、ダウンリンク制御情報（ＤＣＩ）内の所定の指示フィールドによって運ばれる所定の指示情報の候補値の数を決定するステップであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用の前記ネットワーク装置によって構成されるＳＲＳリソースの１つを示し、前記ＴＰＭＩ／ＴＲＩ情報は、前記ＳＲＩによって示されるＳＲＳリソースに対応するプリコーダマトリックスおよびランク数を示す、ステップと、
ネットワーク装置が、前記所定の指示情報の候補値の数に従って前記所定の指示フィールドの長さを決定し、前記長さに従って前記所定の指示情報をエンコーディングし、前記ＤＣＩを生成するステップと、
ネットワーク装置が、前記ＵＥに前記ＤＣＩを送信するステップとを有する。
【００１０】
上述の解決策では、ＳＲＩおよびＴＰＭＩ／ＴＲＩをエンコーディングするための特定の実施方法が提案され、具体的には、ＳＲＩおよびＴＰＭＩ／ＴＲＩを別々にエンコーディングおよびジョイントエンコーディングする実施が提案される。別々にエンコーディングする場合、ＳＲＩのエンコーディングに必要なフィールド長は、ＳＲＩの候補値の数に応じて決定される。ＴＰＭＩ／ＴＲＩ情報のエンコーディングに必要なフィールド長は、ＴＰＭＩ／ＴＲＩ情報の候補値の数に応じて決定される。ジョイントエンコーディングする場合、ジョイントエンコーディングするのに必要なフィールド長は、ＳＲＩの候補値の数およびＴＰＭＩ／ＴＲＩ情報の候補値の数に応じて決定される。本解決策は、既存のプロトコルおよび通信システムにＳＲＩおよびＴＰＭＩ／ＴＲＩ情報を効果的にエンコーディングする方法がないという技術的問題を解決する。
【００１１】
オプションとして、前記所定の指示情報は前記ＳＲＩと前記ＴＰＭＩ／ＴＲＩ情報の組み合わせを含み、前記所定の指示情報は、前記ＵＥ用に構成されたＳＲＳリソースの１つおよび前記ＳＲＩによって示されるＳＲＳリソースに対応するプリコーダマトリックスとランク数を表し、前記ネットワーク装置は、ＤＣＩ信号内の所定の指示フィールドによって運ばれる所定の指示情報の候補値の数を決定するとき、前記ＳＲＩのすべての値を決定し、前記ＳＲＩの各値は、前記ＵＥ用に構成された１つのＳＲＳリソースを表し、異なる値によって表されるＳＲＳリソースは異なり、前記ＵＥが前記ＳＲＩの各値に示されるＳＲＳリソース上でＳＲＳを送信するときの可能なプリコーダマトリックスの数を決定し、前記ＳＲＩのすべての値に対応する利用可能なプリコーダマトリックスの数を合計して、第１の合計値を取得し、前記第１の合計値を前記所定の指示情報の候補値の数とする。
【００１２】
オプションとして、前記所定の指示情報は前記ＳＲＩを含み、前記ネットワーク装置は、ＤＣＩ信号内の所定の指示フィールドによって運ばれる所定の指示情報の候補値の数を決定するとき、前記ＵＥ用に構成されたＳＲＳリソースの総数として前記所定の指示情報を決定し、または、前記ＵＥによってサポートされる送信ビームフォーミングの最大数として前記所定の指示情報の前記候補値の数を決定し、または、所定値として前記所定の指示情報の候補値の数を決定する。
【００１３】
オプションとして、前記所定の指示情報は前記ＴＰＭＩ／ＴＲＩ情報を含み、前記ネットワーク装置は、ＤＣＩ信号内の所定の指示フィールドによって運ばれる所定の指示情報の候補値の数を決定する前に、さらに、前記ＵＥ用に構成されたＳＲＳリソースのいずれか上でＳＲＳを送信するときの可能なプリコーダマトリックスの数を決定し、ＳＲＳリソースと利用可能なプリコーダマトリックスの数の間のマッピングを確立し、前記ネットワーク装置は、ＤＣＩ信号内の所定の指示フィールドによって運ばれる所定の指示情報の候補値の数を決定するとき、前記ＤＣＩによって示されるターゲットＳＲＳリソースを決定し、前記マッピングに従って前記ターゲットＳＲＳリソースに対応する利用可能なプリコーダマトリックスの数を決定し、前記ターゲットＳＲＳリソースに対応する利用可能なプリコーダマトリックスの数を前記所定の指示情報の候補値の数とする。
【００１４】
オプションとして、前記所定の指示情報は前記ＴＰＭＩ／ＴＲＩ情報を含み、前記ネットワーク装置は、ＤＣＩ信号内の所定の指示フィールドによって運ばれる所定の指示情報の候補値の数を決定するとき、前記ＵＥ用に構成されたＳＲＳリソースのいずれか上でＳＲＳを送信するときの可能なプリコーダマトリックスの数を決定し、前記ＵＥ用に構成されたＳＲＳリソースに従って決定された利用可能なプリコーダマトリックスの数の最大数を決定し、前記最大数を前記所定の指示情報の候補値の数とする。
【００１５】
オプションとして、前記所定の指示情報は前記ＴＰＭＩ／ＴＲＩ情報を含み、前記ネットワーク装置は、ＤＣＩ信号内の所定の指示フィールドによって運ばれる所定の指示情報の候補値の数を決定するとき、前記ＵＥ用に構成されたＳＲＳリソースのいずれかに対応するアンテナポートの数を決定し、前記ＵＥ用に構成されたＳＲＳリソースに対応するアンテナポートの数が最大値であるＳＲＳリソースを決定し、前記所定の指示情報の候補値の数として、前記ＵＥが前記対応するアンテナポートの数が最大値であるＳＲＳリソースＳＲＳを送信するときの可能なプリコーダマトリックスの数を決定する。
【００１６】
オプションとして、前記ＵＥ用に構成されたＳＲＳリソースのいずれか上でＳＲＳを送信するときの可能なプリコーダマトリックスの数を決定するとき、第１のＳＲＳリソースに対応するＴＲＩのすべての値を決定し、前記第１のＳＲＳリソースは、前記ＵＥ用に構成されたＳＲＳリソースのいずれかであり、前記ＴＲＩのいずれかに対応する利用可能なプリコーダマトリックスの数を決定し、前記ＴＲＩのいずれかに対応する利用可能なプリコーダマトリックスの数に従って、前記ＵＥが前記第１のＳＲＳリソース上でＳＲＳを送信するときの利用可能なプリコーダマトリックスの数を決定する。
【００１７】
オプションとして、前記第１のＳＲＳリソースに対応するＴＲＩのすべての値を決定するとき、前記第１のＳＲＳリソースに対応するアンテナポートの数に従って、前記第１のＳＲＳリソースに対応するＴＲＩのすべての値を決定し、または、前記ＵＥによってサポートされるデータストリームの最大数に従って前記第１のＳＲＳリソースに対応するＴＲＩのすべての値を決定し、または、前記ＵＥ用の前記ネットワーク装置によって構成されたデータストリームの最大数に従って、前記第１のＳＲＳリソースに対応するＴＲＩのすべての値を決定する。
【００１８】
オプションとして、前記ＴＲＩのいずれかに対応する利用可能なプリコーダマトリックスの数を決定するとき、前記第１のＳＲＳリソースに対応するアンテナポートの数またはＵＥによって許容されたアンテナポートの最大数に従って、前記ＴＲＩのいずれかに対応する利用可能なプリコーダマトリックスの数を決定する。
【００１９】
オプションとして、前記ＴＲＩのいずれかに対応する利用可能なプリコーダマトリックスの数に従って、前記ＵＥが前記第１のＳＲＳリソース上でＳＲＳを送信するときの利用可能なプリコーダマトリックスの数を決定するとき、前記ＴＲＩのいずれかに対応する利用可能なプリコーダマトリックスの数に従って、前記ＴＲＩのすべての値に対応する利用可能なプリコーダマトリックスの数を合計して、第２の合計値を算出し、前記第２の合計値を前記ＵＥが前記第１のＳＲＳリソース上でＳＲＳを送信するときの利用可能なプリコーダマトリックスの数とし、または、前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を前記ＵＥが前記第１のＳＲＳリソース上でＳＲＳを送信するときの利用可能なプリコーダマトリックスの数とする。
【００２０】
本出願の実施形態の第２の態様によるダウンリンク制御情報（ＤＣＩ）を送信するための方法では、ネットワーク装置は、ダウンリンク制御情報（ＤＣＩ）内の所定の指示フィールドによって運ばれる所定の指示情報の候補値の数を決定し、前記所定の指示情報は、ＴＰＭＩ／ＴＲＩ情報、またはＳＲＩとＴＰＭＩ／ＴＲＩ情報の組み合わせを含み、前記ＳＲＩは、ユーザー機器用の前記ネットワーク装置によって構成されるＳＲＳリソースの１つを示し、前記ＴＰＭＩ／ＴＲＩ情報は、前記ＳＲＩによって示されるＳＲＳリソースに対応するプリコーダマトリックスおよびランク数を示し、ネットワーク装置は、前記所定の指示情報の候補値の数に従って前記所定の指示フィールドの長さを決定し、前記長さに従って前記所定の指示情報をエンコーディングし、前記ＤＣＩを生成し、ネットワーク装置は端末に前記ＤＣＩを送信する。
【００２１】
オプションとして、前記所定の指示情報は前記ＴＰＭＩ／ＴＲＩ情報を含み、前記ダウンリンク制御情報（ＤＣＩ）内の所定の指示フィールドによって運ばれる所定の指示情報の候補値の数を決定することは、具体的に、ＤＣＩによって示されるＳＲＩに対応するアンテナポートの数またはＵＥによって許容されたアンテナポートの最大数に従って、前記所定の指示情報の値の可能な数を決定する。
【００２２】
オプションとして、前記所定の指示情報は、ＳＲＩとＴＰＭＩ／ＴＲＩ情報の組み合わせを含み、前記ダウンリンク制御情報（ＤＣＩ）内の所定の指示フィールドによって運ばれる所定の指示情報の候補値の数を決定することは、具体的に、ＳＲＩの可能な値の数およびＳＲＩのいずれかに対応するアンテナポートの数に従って、前記所定の指示情報の値の可能な数を決定し、または、ＳＲＩの可能な値の数およびＵＥによって許容されたアンテナポートの最大数に従って、前記所定の指示情報の値の可能な数を決定する。
【００２３】
本出願の実施形態の第３の態様によるダウンリンク制御情報（ＤＣＩ）を受信するための方法では、ＵＥは、ダウンリンク制御情報（ＤＣＩ）内の所定の指示フィールドによって運ばれる所定の指示情報の候補値の数を決定し、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器用の前記ネットワーク装置によって構成されるＳＲＳリソースの１つを示し、前記ＴＰＭＩ／ＴＲＩ情報は、前記ＳＲＩによって示されるＳＲＳリソースに対応するプリコーダマトリックスおよびランク数を示し、ＵＥは、前記所定の指示情報の候補値の数に従って前記所定の指示フィールドの長さを決定し、ＵＥは、前記所定の指示フィールドの長さに従って前記ＤＣＩを受信する。
【００２４】
本出願の実施形態の第４の態様によるダウンリンク制御情報（ＤＣＩ）を送信するための装置は、ダウンリンク制御情報（ＤＣＩ）内の所定の指示フィールドによって運ばれる所定の指示情報の候補値の数を決定するように構成された第１の決定ユニットであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ＵＥ用の前記装置によって構成されたＳＲＳリソースの１つを示し、前記ＴＰＭＩ／ＴＲＩ情報は、前記ＳＲＩによって示されるＳＲＳリソースに対応するプリコーダマトリックスおよびランク数を示す、第１の決定ユニットと、前記所定の指示情報の候補値の数に従って前記所定の指示フィールドの長さを決定し、前記長さに従って前記所定の指示情報をエンコーディングし、前記ＤＣＩを生成するように構成された第１のエンコーディングユニットと、前記ＵＥに前記ＤＣＩを送信するように構成された第１の送信ユニットとを備える。
【００２５】
オプションとして、前記所定の指示情報は前記ＳＲＩと前記ＴＰＭＩ／ＴＲＩ情報の組み合わせを含み、前記所定の指示情報は、前記ＵＥ用に構成されたＳＲＳリソースの１つおよび前記ＳＲＩによって示されるＳＲＳリソースに対応するプリコーダマトリックスとランク数を表し、前記第１の決定ユニットは、前記ＳＲＩのすべての値を決定し、前記ＳＲＩの各値は、前記ＵＥ用に構成された１つのＳＲＳリソースを表し、異なる値によって表されるＳＲＳリソースは異なり、前記ＵＥが前記ＳＲＩの各値に示されるＳＲＳリソース上でＳＲＳを送信するときの可能なプリコーダマトリックスの数を決定し、前記ＳＲＩのすべての値に対応する利用可能なプリコーダマトリックスの数を合計して、第１の合計値を取得し、前記第１の合計値を前記所定の指示情報の候補値の数とする。
【００２６】
オプションとして、前記所定の指示情報は前記ＳＲＩを含み、前記第１の決定ユニットは、前記ＵＥ用に構成されたＳＲＳリソースの総数として前記所定の指示情報を決定し、または、前記ＵＥによってサポートされる送信ビームフォーミングの最大数として前記所定の指示情報の前記候補値の数を決定し、または、所定値として前記所定の指示情報の候補値の数を決定する。
【００２７】
オプションとして、前記所定の指示情報は前記ＴＰＭＩ／ＴＲＩ情報を含み、前記第１の決定ユニットは、ＤＣＩ信号内の所定の指示フィールドによって運ばれる所定の指示情報の候補値の数を決定する前に、前記ＵＥ用に構成されたＳＲＳリソースのいずれか上でＳＲＳを送信するときの可能なプリコーダマトリックスの数を決定し、ＳＲＳリソースと利用可能なプリコーダマトリックスの数の間のマッピングを確立し、前記ＤＣＩによって示されるターゲットＳＲＳリソースを決定し、前記マッピングに従って前記ターゲットＳＲＳリソースに対応する利用可能なプリコーダマトリックスの数を決定し、前記ターゲットＳＲＳリソースに対応する利用可能なプリコーダマトリックスの数を前記所定の指示情報の候補値の数とする。
【００２８】
オプションとして、前記所定の指示情報は前記ＴＰＭＩ／ＴＲＩ情報を含み、前記第１の決定ユニットは、前記ＵＥ用に構成されたＳＲＳリソースのいずれか上でＳＲＳを送信するときの可能なプリコーダマトリックスの数を決定し、前記ＵＥ用に構成されたＳＲＳリソースに従って決定された利用可能なプリコーダマトリックスの数の最大数を決定し、前記最大数を前記所定の指示情報の候補値の数とする。
【００２９】
オプションとして、前記所定の指示情報は前記ＴＰＭＩ／ＴＲＩ情報を含み、前記第１の決定ユニットは、前記ＵＥ用に構成されたＳＲＳリソースのいずれかに対応するアンテナポートの数を決定し、前記ＵＥ用に構成されたＳＲＳリソースに対応するアンテナポートの数が最大値であるＳＲＳリソースを決定し、前記所定の指示情報の候補値の数として、前記ＵＥが前記対応するアンテナポートの数が最大値であるＳＲＳリソースＳＲＳを送信するときの可能なプリコーダマトリックスの数を決定する。
【００３０】
オプションとして、前記第１の決定ユニットは、第１のＳＲＳリソースに対応するＴＲＩのすべての値を決定し、前記第１のＳＲＳリソースは、前記ＵＥ用に構成されたＳＲＳリソースのいずれかであり、前記ＴＲＩのいずれかに対応する利用可能なプリコーダマトリックスの数を決定し、前記ＴＲＩのいずれかに対応する利用可能なプリコーダマトリックスの数に従って、前記ＵＥが前記第１のＳＲＳリソース上でＳＲＳを送信するときの利用可能なプリコーダマトリックスの数を決定する。
【００３１】
オプションとして、前記第１の決定ユニットは、前記第１のＳＲＳリソースに対応するアンテナポートの数に従って、前記第１のＳＲＳリソースに対応するＴＲＩのすべての値を決定し、または、前記ＵＥによってサポートされるデータストリームの最大数に従って前記第１のＳＲＳリソースに対応するＴＲＩのすべての値を決定し、または、前記ＵＥ用の前記装置によって構成されたデータストリームの最大数に従って、前記第１のＳＲＳリソースに対応するＴＲＩのすべての値を決定する。
【００３２】
オプションとして、前記第１の決定ユニットは、前記第１のＳＲＳリソースに対応するアンテナポートの数またはＵＥによって許容されたアンテナポートの最大数に従って、前記ＴＲＩのいずれかに対応する利用可能なプリコーダマトリックスの数を決定する。
【００３３】
オプションとして、前記第１の決定ユニットは、前記ＴＲＩのいずれかに対応する利用可能なプリコーダマトリックスの数に従って、前記ＴＲＩのすべての値に対応する利用可能なプリコーダマトリックスの数を合計して、第２の合計値を算出し、前記第２の合計値を前記ＵＥが前記第１のＳＲＳリソース上でＳＲＳを送信するときの利用可能なプリコーダマトリックスの数とし、または、前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を前記ＵＥが前記第１のＳＲＳリソース上でＳＲＳを送信するときの利用可能なプリコーダマトリックスの数とする。
【００３４】
本出願の実施形態の第５の態様によるダウンリンク制御情報（ＤＣＩ）を送信するための装置は、ダウンリンク制御情報（ＤＣＩ）内の所定の指示フィールドによって運ばれる所定の指示情報の候補値の数を決定するように構成された第２の決定ユニットであって、前記所定の指示情報は、ＴＰＭＩ／ＴＲＩ情報、またはＳＲＩとＴＰＭＩ／ＴＲＩ情報の組み合わせを含み、前記ＳＲＩは、ＵＥ用の前記装置によって構成されたＳＲＳリソースの１つを示し、前記ＴＰＭＩ／ＴＲＩ情報は、前記ＳＲＩによって示されるＳＲＳリソースに対応するプリコーダマトリックスおよびランク数を示す、第２の決定ユニットと、前記所定の指示情報の候補値の数に従って前記所定の指示フィールドの長さを決定し、前記長さに従って前記所定の指示情報をエンコーディングし、前記ＤＣＩを生成するように構成された第２のエンコーディングユニットと、前記ＵＥに前記ＤＣＩを送信するように構成された第２の送信ユニットとを備える。
【００３５】
オプションとして、前記所定の指示情報は前記ＴＰＭＩ／ＴＲＩ情報を含み、前記第２の決定ユニットは、ＤＣＩによって示されるＳＲＩに対応するアンテナポートの数またはＵＥによって許容されたアンテナポートの最大数に従って、前記所定の指示情報の値の可能な数を決定する。
【００３６】
オプションとして、前記所定の指示情報は、ＳＲＩとＴＰＭＩ／ＴＲＩ情報の組み合わせを含み、前記第２の決定ユニットは、ＳＲＩの可能な値の数およびＳＲＩのいずれかに対応するアンテナポートの数に従って、前記所定の指示情報の値の可能な数を決定し、または、ＳＲＩの可能な値の数およびＵＥによって許容されたアンテナポートの最大数に従って、前記所定の指示情報の値の可能な数を決定する。
【００３７】
本出願の実施形態の第６の態様によるダウンリンク制御情報（ＤＣＩ）を受信するための装置は、ダウンリンク制御情報（ＤＣＩ）内の所定の指示フィールドによって運ばれる所定の指示情報の候補値の数を決定するように構成された第３の決定ユニットであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、前記装置用の前記ネットワーク装置によって構成されたＳＲＳリソースの１つを表し、前記ＴＰＭＩ／ＴＲＩ情報は、前記ＳＲＩによって示されるＳＲＳリソースに対応するプリコーダマトリックスおよびランク数を示す、第３の決定ユニットと、前記所定の指示フィールドの長さに従って前記ＤＣＩを受信するように構成された受信ユニットとを備える。
【００３８】
本出願の実施形態の第７の態様によるダウンリンク制御情報（ＤＣＩ）を送信するための装置は、
プログラム命令を格納するように構成されたメモリと、
前記メモリに格納されたプログラム命令を読み出し、取得されたプログラムに従って以下のように実行するように構成されたプロセッサとを備え、
前記プロセッサは、
ダウンリンク制御情報（ＤＣＩ）内の所定の指示フィールドによって運ばれる所定の指示情報の候補値の数を決定し、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用のネットワーク装置によって構成されたＳＲＳリソースの１つを表し、前記ＴＰＭＩ／ＴＲＩ情報は、前記ＳＲＩによって示されるＳＲＳリソースに対応するプリコーダマトリックスおよびランク数を示し、
前記所定の指示情報の候補値の数に従って前記所定の指示フィールドの長さを決定し、前記長さに従って前記所定の指示情報をエンコーディングし、前記ＤＣＩを生成し、
前記ＵＥに前記ＤＣＩを送信する。
【００３９】
本出願の実施形態の第８の態様によるダウンリンク制御情報（ＤＣＩ）を受信するための装置は、
プログラム命令を格納するように構成されたメモリと、
前記メモリに格納されたプログラム命令を読み出し、取得されたプログラムに従って以下のように実行するように構成されたプロセッサとを備え、
前記プロセッサは、
ダウンリンク制御情報（ＤＣＩ）内の所定の指示フィールドによって運ばれる所定の指示情報の候補値の数を決定し、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用のネットワーク装置によって構成されたＳＲＳリソースの１つを表し、前記ＴＰＭＩ／ＴＲＩ情報は、前記ＳＲＩによって示されるＳＲＳリソースに対応するプリコーダマトリックスおよびランク数を示し、
前記所定の指示情報の候補値の数に従って前記所定の指示フィールドの長さを決定し、
前記所定の指示フィールドの長さに従って前記ＤＣＩを受信する。
【００４０】
本出願の実施形態の第９の態様は、プロセッサによって実行されると、上述のいずれか１つの方法を実行するように構成されたコンピュータプログラムを記憶することを特徴とするコンピュータ可読記憶媒体を提供する。
【００４１】
本発明に係る実施形態や従来の技術方案をより明確に説明するために、以下に実施形態を説明するために必要な図面について簡単に紹介する。無論、以下の説明における図面は本発明に係る実施形態の一部であり、当業者は、創造性作業を行わないことを前提として、これらの図面に基づいて他の図面を得ることができる。
【図面の簡単な説明】
【００４２】
【図１】本出願の実施形態によるダウンリンク制御情報（ＤＣＩ）を送信するための方法の概略フローチャートである。
【図２】本出願の実施形態によるプリコーダコードブックの概略図である。
【図３】本出願の実施形態によるＴＰＭＩ／ＴＲＩ情報のエンコーディングの概略図である。
【図４】本出願の実施形態によるジョイントエンコーディングするときのエンコーディング情報の概略図である。
【図５】本出願の実施形態によるダウンリンク制御情報（ＤＣＩ）を送信するための装置の概略図である。
【図６】本出願の実施形態による他のダウンリンク制御情報（ＤＣＩ）を送信するための装置の概略図である。
【図７】本出願の実施形態によるダウンリンク制御情報（ＤＣＩ）を受信するための装置の概略図である。
【発明を実施するための形態】
【００４３】
本願の実施形態の技術的解決策を、図面および特定の実施形態によって以下に詳細に説明する。本願の実施形態および実施形態の特定の特徴は、本願の実施形態の技術的解決策を詳細に説明することを意図しているが、本願の実施形態の技術的解決策を限定するものではないことを理解されたい。本願の実施形態および実施形態の特定の特徴は、衝突することなく互いに組み合わせることができる。
【００４４】
本出願の実施形態は、５Ｇシステムに適用可能であり、他の無線通信システム、例えば、ロングタームエボリューション（Ｌｏｎｇ Ｔｅｒｍ Ｅｖｏｌｕｔｉｏｎ，ＬＴＥ）システム、移動体通信用グローバルシステム（Ｇｌｏｂａｌ Ｓｙｓｔｅｍ ｆｏｒ Ｍｏｂｉｌｅ Ｃｏｍｍｕｎｉｃａｔｉｏｎ，ＧＳＭ（登録商標））、ユニバーサル移動体通信システム（Ｕｎｉｖｅｒｓａｌ Ｍｏｂｉｌｅ Ｔｅｌｅｃｏｍｍｕｎｉｃａｔｉｏｎｓ Ｓｙｓｔｅｍ，ＵＭＴＳ）、符号分割多元接続（Ｃｏｄｅ Ｄｉｖｉｓｉｏｎ Ｍｕｌｔｉｐｌｅ Ａｃｃｅｓｓ，ＣＤＭＡ）システム、新しいネットワークデバイスシステムなどにも適用可能であり得る。
【００４５】
本出願の実施形態に関与するユーザー機器（ＵＥ）は、音声および／またはデータ接続をユーザーに提供するためのデバイス、無線接続機能を有するハンドヘルドデバイス、または無線モデムに接続された他の処理デバイスを指すことができる。
【００４６】
ワイヤレスユーザー機器は、無線アクセスネットワーク（ｒａｄｉｏ Ａｃｃｅｓｓ Ｎｅｔｗｏｒｋ，ＲＡＮ）を介して１つまたは複数のコアネットワークと通信することができる。ワイヤレスユーザー機器は、携帯電話（または「セルラー」電話と呼ばれる）などのモバイル端末、およびモバイル端末を備えたコンピュータであり得る。たとえば、モバイル端末を備えたコンピュータは、ポータブル、ポケット、ハンドヘルド、コンピュータ内蔵または車両搭載のモバイルデバイスであり、音声および／またはデータを無線アクセスネットワークと交換する。
【００４７】
例えば、パーソナル通信サービス（Ｐｅｒｓｏｎａｌ Ｃｏｍｍｕｎｉｃａｔｉｏｎ Ｓｅｒｖｉｃｅ，ＰＣＳ）電話、コードレス電話、セッション開始プロトコル（ＳＩＰ）電話、無線ローカルループ（Ｗｉｒｅｌｅｓｓ Ｌｏｃａｌ Ｌｏｏｐ，ＷＬＬ）局、携帯情報端末（Ｐｅｒｓｏｎａｌ Ｄｉｇｉｔａｌ Ａｓｓｉｓｔａｎｔ，ＰＤＡ）および他のデバイスである。
【００４８】
無線ユーザー機器は、システム、加入者ユニット（Ｓｕｂｓｃｒｉｂｅｒ Ｕｎｉｔ）、加入者局（Ｓｕｂｓｃｒｉｂｅｒ Ｓｔａｔｉｏｎ）、移動局（Ｍｏｂｉｌｅ Ｓｔａｔｉｏｎ）、モバイル（Ｍｏｂｉｌｅ）、遠隔局（Ｒｅｍｏｔｅ Ｓｔａｔｉｏｎ）、アクセスポイント（Ａｃｃｅｓｓ Ｐｏｉｎｔ）、遠隔端末（Ｒｅｍｏｔｅ Ｔｅｒｍｉｎａｌ）、アクセス端末（Ａｃｃｅｓｓ Ｔｅｒｍｉｎａｌ）、ユーザー端末（Ｒｅｍｏｔｅ Ｓｔａｔｉｏｎ）、ユーザーエージェント（Ｕｓｅｒ Ａｇｅｎｔ）、ユーザーデバイス（Ｕｓｅｒ Ｄｅｖｉｃｅ）などと呼ばれることもある。
【００４９】
本発明に係る実施形態において、基地局（例えば、接続点）は、ＡＮ（Ａｃｃｅｓｓ Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）または５ＧシステムにおけるｇＮＢであってもよいが、本発明をそれに限定しない。
【００５０】
本出願の実施形態の説明における「第１」または「第２」などの語は、説明を区別するためだけのものであり、相対的な重要性を示したり暗示したりすると解釈できないことを理解されたい。順序を示したり暗示したりするように解釈することもできない。本出願の実施形態の説明において、「複数」とは、２つ以上を指す。
【００５１】
第１の実施形態
制御情報には、ＳＲＩまたは送信プリコーダマトリックスインジケータ／送信ランクインジケータ情報が含まれる。当該制御情報は、ネットワーク装置からＵＥに送信されるダウンリンクデータに含まれる。たとえば、ダウンリンク制御情報（Ｄｏｗｎｌｉｎｋ Ｃｏｎｔｒｏｌ Ｉｎｆｏｒｍａｔｉｏｎ，ＤＣＩ）に含まれることができる。ただし、既存のプロトコルおよび通信システムにＳＲＩおよびプリコーダマトリックスインジケータ／ランクインジケータ情報をエンコーディングする方法はない。
【００５２】
本出願の第１の実施形態は、既存のプロトコルおよび通信システムにおいてＳＲＩおよびＴＰＭＩ／ＴＲＩ情報をエンコーディングする方法がないという技術的問題を解決するために、ダウンリンク制御情報（ＤＣＩ）を送信する方法を提供する。図１を参照すると、この方法は以下のステップを含む。
【００５３】
ステップ１０において、ネットワーク装置は、ダウンリンク制御情報（ＤＣＩ）内の所定の指示フィールドによって運ばれる所定の指示情報の候補値の数を決定する。
【００５４】
具体的には、前記所定の指示情報は、ＳＲＩ、ＴＰＭＩ／ＴＲＩ情報、またはＳＲＩとＴＰＭＩ／ＴＲＩ情報の組み合わせであり、本出願の実施形態によって特に限定されない。 
【００５５】
前記所定の指示情報がＳＲＩを含む場合、ＳＲＩの候補値の数が決定される。前記ＳＲＩの各値は１つのＳＲＳリソースを示し、異なる値は異なるＳＲＳリソースを示す。前記所定の指示情報がＴＰＭＩ／ＴＲＩ情報を含む場合、ＴＰＭＩ／ＴＲＩ情報の候補値の数が決定される。前記所定の指示情報がＳＲＩおよびＴＰＭＩ／ＴＲＩ情報の組み合わせを含む場合、ＳＲＩの候補値の数およびＴＰＭＩ／ＴＲＩ情報の候補値の数がそれぞれ決定される。次に、決定されたＳＲＩの候補値の数およびＴＰＭＩ／ＴＲＩ情報の候補値の数に従って、前記所定の指示情報の候補値の数を決定する。
【００５６】
ステップ２０において、ネットワーク装置は、前記所定の指示情報の候補値の数に従って前記所定の指示フィールドの長さを決定する。
【００５７】
具体的には、前記所定の指示情報の候補値の数が決定された後、前記所定の指示情報の候補値の数に従って、所定の指示フィールドの長さが計算される。特定の実施プロセスにおいて、前記所定の指示情報の候補値の数に従って前記所定の指示フィールドの長さを計算する方法は、５Ｇシステムで実際に使用されるエンコーディング方法に従って決定される必要があり、本出願の実施形態において特に限定されない。
【００５８】
例えば、エンコーディング方式はバイナリであり、決定された前記所定の指示情報の候補値の数がＭであれば、前記所定の指示フィールドの長さは
【数１】
2020523931.tif 000003
であると仮定される。例えば、例えば、前記所定の指示情報の候補値の決定された数が８であり、前記所定の指示フィールドの長さが３ビットであると仮定される。前記所定の指示情報の候補値の決定された数は３であると想定される場合、前記所定の指示フィールドの長さは２ビットである。本出願の実施形態の以下の説明において、本出願の実施形態によって提供される方法を、エンコーディング方式がバイナリ方式である場合を例として、以下で詳細に説明する。
【００５９】
ステップ３０において、前記長さに従って前記所定の指示情報をエンコーディングし、前記ＤＣＩを生成する。
【００６０】
ステップ４０において、ネットワーク装置は、前記ＵＥに前記ＤＣＩを送信する。
【００６１】
ここで、上記のステップ３０における前記所定の指示情報がＳＲＩ、ＴＰＭＩ／ＴＲＩ情報、およびそれらの組み合わせである３つの場合について、エンコーディングを実施する特定のプロセスがそれぞれ紹介される。
【００６２】
（１）前記所定の指示情報がＳＲＩを含む場合、ＳＲＩのすべての候補値は前記所定の指示フィールドでエンコーディングされ、前記所定の指示フィールドの１つのエンコーディング情報は１つのＳＲＩ値、すなわち、前記所定の指示フィールド上の１つのエンコーディング情報は、１つのＳＲＳリソースを示す。異なるエンコーディング情報は異なるＳＲＩ値を示す。つまり、異なるエンコーディング情報は異なるＳＲＳリソースを示す。
【００６３】
例えば、ＳＲＩの候補値の数が３である場合、前記所定の指示フィールドの長さは２ビットであり、ＳＲＩの候補値は「２」、「７」および「８」を含む。したがって、エンコーディング情報「００」を使用してＳＲＩの候補値「２」を表すことができ、エンコーディング情報「０１」を使用してＳＲＩの候補値「７」を表すことができ、エンコーディング情報「１０」を使用してＳＲＩの候補値「１１」を表すことができる。もちろん、上述のエンコーディング情報のそれぞれとＳＲＩのそれぞれの候補値との間には、他の形態の対応関係もあり得る。ここでのこの例は、エンコーディング情報とＳＲＩの候補値との間に１対１の対応があることを示すためだけに使用されているが、ＳＲＩの候補値およびエンコーディング情報とＳＲＩの候補値との間の特定の対応規則間の制限に使用することはできず、実際の状況に依存する。
【００６４】
（２）前記所定の指示情報がＴＰＭＩ／ＴＲＩ情報を含む場合、ＴＰＭＩ／ＴＲＩ情報のすべての候補値が前記所定の指示フィールドにエンコーディングされる。前記所定の指示フィールド上のエンコーディング情報は、ＴＰＭＩ／ＴＲＩ情報の１つの候補値を表し、ＴＰＭＩ／ＴＲＩ情報の１つの候補値は１つの特定のプリコーダマトリックスを表す。ＵＥが使用するＳＲＩとプリコーダコードブックが決定される場合、前記ＤＣＩにおいて運ばれるＴＰＭＩ／ＴＲＩ情報の値は異なるため、前記ＴＰＭＩ／ＴＲＩ情報によって表すプリコーダマトリックスは異なる。
【００６５】
例えば、決定されたＳＲＩについて、ＳＲＳリソースに対応するプリコーダコードブックは、このＳＲＩに対応するＳＲＳリソースのアンテナポートの数に従って決定され得る。決定されたアンテナポートの数は２であると仮定される。そして、ＴＲＩの候補値は１および２である。ＴＰＭＩ／ＴＲＩ情報の候補値の許容数は３であり、前記ＴＰＭＩ／ＴＲＩ情報の３つの値は、それぞれ「ＴＲＩ＝１、プリコーダマトリックスは
【数２】
2020523931.tif 000004
、「ＴＲＩ＝２、プリコーダマトリックスは
【数３】
2020523931.tif 000005
、および「ＴＲＩ＝１、プリコーダマトリックスは
【数４】
2020523931.tif 000006
に対応し、ＴＰＭＩ／ＴＲＩ情報の３つの値は、２ビット長のフィールドを使用してエンコーディングできる。たとえば、エンコーディング情報「００」は「ＴＲＩ＝１」、プリコーダマトリックスは
【数５】
2020523931.tif 000007
であることを示す。エンコーディング情報「０１」は「ＴＲＩ＝２、プリコーダマトリックスは
【数６】
2020523931.tif 000008
であることを示す。エンコーディング情報「１０」は「ＴＲＩ＝１、プリコーダマトリックスは
【数７】
2020523931.tif 000009
であることを表す。
【００６６】
もちろん、エンコーディング情報とＴＰＭＩ／ＴＲＩ情報の候補値との間には、他の形態の対応関係もあり得る。この例は、エンコーディング情報とＴＰＭＩ／ＴＲＩ情報の候補値との間に１対１の対応があることを示すために使用されるが、エンコーディング情報とＴＰＭＩ／ＴＲＩ情報の値候補の間の対応の特定の規則を制限するために使用することはできない。
【００６７】
決定されたＳＲＩについて、ＳＲＳリソースに対応するプリコーダコードブックは、このＳＲＩに対応するＳＲＳリソースのアンテナポートの数に従って決定され得る。ＳＲＩに対応するＳＲＳリソースのアンテナポートの数は２であると仮定される。図２に示されるプリコーダコードブックによれば、ＴＲＩの候補値は１および２であり、ＴＰＭＩの候補値は図２の７つのプリコーダマトリックスでる。よって、ＴＰＭＩ／ＴＲＩの候補値の数は７でる。３ビットの長さのフィールドを使用して、これらの７つの可能なＴＰＭＩ／ＴＲＩ情報をエンコーディングできる（例えば、図３に示すような方法が採用される）。
【００６８】
上述で説明されたＴＰＭＩ／ＴＲＩ情報をエンコーディングする方法は、ＴＰＭＩとＴＲＩをジョイントエンコーディングする場合に基づくことに理解されたい。すなわち、ＴＰＭＩ／ＴＲＩの１つの候補値は１つのＴＰＭＩ値および１つのＴＲＩ値を示すことができる。実際の応用では、ＴＰＭＩとＴＲＩは別々にエンコーディングすることもできる。ＴＰＭＩとＴＲＩを別々にエンコーディングする場合、それぞれＴＲＩとＴＰＭＩを運ぶためにＤＣＩにおいて２つの所定の指示フィールドを指定する必要があり、所定の指示フィールド内の２つのエンコーディング情報に従って１つの特定のプリコーダマトリックスが共同で決定される。ＴＰＭＩとＴＲＩを別々にエンコーディングし、およびジョイントエンコーディングする特定の実施は、先行技術の関連する実施解決策を参照することができ、ここでは説明を省略する。
【００６９】
（３）前記所定の指示情報は前記ＳＲＩと前記ＴＰＭＩ／ＴＲＩ情報の組み合わせを含を含む場合、前記所定の指示フィールドにおいて、ＳＲＩおよびＴＰＭＩ／ＴＲＩ情報をジョイントエンコーディングし、すなわち、前記所定の指示フィールドにおいてＳＲＩおよびＴＰＭＩ／ＴＲＩ情報のすべての候補値をエンコーディングする。前記所定の指示情報の１つの値は、ＳＲＩの値またはＴＰＭＩとＴＲＩの値の１つの組み合わせを表す。つまり、前記所定の指示情報の１つの値は、ＳＲＳリソースとプリコーダマトリックスの１つの特定の組み合わせに対応し、前記所定の指示情報の値が異なると、示すＳＲＳリソースとプリコーダマトリックスの組み合わせは異なる。たとえば、図４に示すように、エンコーディング情報に対応する１０進値が０の場合、ＳＲＩ＝１、ＴＰＭＩ＝１、ＴＲＩ＝１である。
【００７０】
上述の解決策では、ＳＲＩおよびＴＰＭＩ／ＴＲＩをエンコーディングするための特定の実施方法が提案され、具体的には、ＳＲＩおよびＴＰＭＩ／ＴＲＩを別々にエンコーディングおよびジョイントエンコーディングする実施が提案される。別々ににエンコーディングする場合、ＳＲＩのエンコーディングに必要なフィールド長は、ＳＲＩの候補値の数に応じて決定される。ＴＰＭＩ／ＴＲＩ情報のエンコーディングに必要なフィールド長は、ＴＰＭＩ／ＴＲＩ情報の候補値の数に応じて決定される。ジョイントエンコーディングする場合、ジョイントエンコーディングするのに必要なフィールド長は、ＳＲＩの候補値の数およびＴＰＭＩ／ＴＲＩ情報の候補値の数に応じて決定される。本解決策は、既存のプロトコルおよび通信システムにＳＲＩおよびＴＰＭＩ／ＴＲＩ情報を効果的にエンコーディングする方法がないという技術的問題を解決する。
【００７１】
オプションとして、ＳＲＩまたはＴＰＭＩ／ＴＲＩ情報またはＳＲＩとＴＰＭＩ／ＴＲＩ情報の組み合わせがエンコーディングされるとき、エンコーディング情報を定義する規則を実施する多くの方法があり得る。ジョイントエンコーディングを例にとると、エンコーディング情報の値が増加すると、ラベルはＴＲＩ、ＴＰＭＩ、ＳＲＩの順に増加するか、ラベルがＳＲＩ、ＴＰＭＩ、ＴＲＩの順に増加する。または、ラベルは、ＴＰＭＩ、ＴＲＩ、ＳＲＩなどの順に増加させることができ、これは、本出願の実施形態において特に限定されない。
【００７２】
このようにして、ＳＲＩおよびＴＰＭＩ／ＴＲＩ情報をエンコーディングするための技術的解決策がさらに改善される。
【００７３】
オプションとして、エンコーディング情報を定義する規則を決定した後、ネットワーク装置は、エンコーディング情報と所定の指示情報との間の対応するマッピングテーブルを生成し、生成されたマッピングテーブルをＵＥに通知するか、またはマッピングテーブルの生成方法をＵＥに通知することができる。ジョイントエンコーディングを例に取ると、ネットワーク装置は、各エンコーディング情報に対応するＳＲＩ、ＴＰＭＩ、ＴＲＩの値を使用して、たとえば図３に示すようにマッピングテーブルを生成し、生成したマッピングテーブルをＵＥに通知する。または、ネットワーク装置がＤＣＩを受信したときにＳＲＩ、ＴＰＭＩ、およびＴＲＩの値をすばやく読み取ることができるように、マッピングテーブルを生成するか、マッピングテーブルを生成する方法をＵＥに通知する。
【００７４】
このようにして、ＳＲＩおよびＴＰＭＩ／ＴＲＩ情報をエンコーディングするための技術的解決策がさらに改善される。
【００７５】
オプションとして、上記のステップ１０で説明した前記ダウンリンク制御情報（ＤＣＩ）内の所定の指示フィールドによって運ばれる所定の指示情報の候補値の数を決定する特定の実施方法は、以下の３つのケースを含む。
【００７６】
第１のケース場合：前記所定の指示情報がＳＲＩを含む場合、前記所定の指示情報の候補値の数を決定する方法は、ＳＲＩの候補値の数を前記ＵＥ用に構成されたＳＲＳリソースの総数として決定するか、または、ＳＲＩの候補値の数を前記ＵＥによってサポートされる送信ビームフォーミングの最大数として決定するか、または、ＳＲＩの候補値の数を所定値として決定する。前記所定値は、基地局によって自己定義することができ、または５Ｇシステムの関連プロトコルによって指定することができ、これは本出願の実施形態によって特に限定されない。所定値である場合、当該所定値に対応するＤＣＩのフィールド長は、基地局と端末（たとえば、プロトコルで指定）によって事前に合意するか、シグナリング経由で基地局から端末に通知する必要がある。
【００７７】
ＳＲＩの候補値の数が所定値であるネットワーク装置がシグナリングを介して当該所定値に対応するＤＣＩ上のフィールド長を端末に通知する必要がある場合、実施方法は、本出願の実施形態によって特に限定されない、高位層シグナリングまたはＤＣＩを介してＵＥに通知することであり得るが、本出願の実施形態ではこれについて限定しない。
【００７８】
ＳＲＩの候補値の数を前記ＵＥ用に構成されたＳＲＳリソースの総数として決定する場合は、ＵＥのアップリンク送信モードに向けられることに留意されたい。このとき、前記ＵＥ用に構成されたＳＲＳリソースの総数は、ＵＥ用の構成されたアップリンク送信モードでのＳＲＳリソースの総数を意味する。
【００７９】
第２のケース場合：前記所定の指示情報がプリコーダ指示情報を含む場合、前記所定の指示情報の候補値の数を決定する方法は、以下の方式を含むが、これらに限定されない。
【００８０】
方式（１）：各ＳＲＳリソースに対応するＴＰＭＩ／ＴＲＩ情報の候補値の数は、ＳＲＩの値に依存せず、異なるＳＲＳリソースは、所定の指示情報の同じ数の候補値に対応する。
【００８１】
例えば、ＳＲＩのすべての値が決定される場合、ＳＲＩのすべての値に対応するすべてのＳＲＳリソースが決定される。次に、すべてのＳＲＳリソースのそれぞれでアップリンクデータを送信する際に利用可能なプリコーダマトリックスの数が決定される。次に、すべてのＳＲＳリソースに従って決定された利用可能なプリコーダマトリックスの最大数が決定される。そして、最大数は、各ＳＲＳリソースに対応するプリコーダ指示情報の候補値の数とみなされる。
【００８２】
別の例では、ＳＲＩのすべての値が決定される場合、ＳＲＩのすべての値に対応するすべてのＳＲＳリソースが決定される。次に、すべてのＳＲＳリソースのそれぞれに対応するアンテナポートの数が決定される。アンテナポートの数が最大値であるＳＲＳリソースに対応する利用可能なプリコーダマトリックスの数が決定される。そして、前記アンテナポートの数が最大値であるＳＲＳリソースに対応する利用可能なプリコーダマトリックスの数が、各ＳＲＳリソースに対応するプリコーダ指示情報の候補値の数とされる。
【００８３】
さらに別の例では、ネットワーク装置は、各ＳＲＳリソースに対応するプリコーディング指示情報の候補値の数を同じ所定値として直接構成し、ＵＥに所定値または当該所定の値に対応するフィールド長を通知することができる。実施方法は、本出願の実施形態によって特に限定されないが、高位層のシグナリングまたはＤＣＩを介してＵＥに通知することであり得る。前記所定値は、ネットワーク装置によって自己定義することができ、または５Ｇシステムの関連プロトコルによって指定することができ、これは本出願の実施形態によって特に限定されない。
【００８４】
方式（２）：各ＳＲＳリソースに対応するＴＰＭＩ／ＴＲＩ情報の候補値の数は、ＳＲＩの値に関連し、異なるＳＲＳリソースに対応する所定の指示情報の候補値の数は、異なる。
【００８５】
特定の実施プロセスにおいて、ＳＲＩのすべての値が決定される場合、ＳＲＩのすべての値に対応するすべてのＳＲＳリソースが決定される。次に、すべてのＳＲＳリソースのそれぞれでアップリンクデータを送信する際に利用可能なプリコーダマトリックスの数が決定される。ＳＲＳリソースと利用可能なプリコーダマトリックスの数の間のマッピングが確立され、かつ格納される。ＤＣＩ信号によって示されるターゲットＳＲＳリソースが異なる場合、前記ターゲットＳＲＳリソースに対応する利用可能なプリコーダマトリックスの数は、前記マッピングに従って直接決定することができる。
【００８６】
第３のケース場合：前記所定の指示情報が前記ＳＲＩと前記ＴＰＭＩ／ＴＲＩ情報の組み合わせを含む場合、前記所定の指示情報の候補値の数を決定する方法は以下の通りである：前記ＳＲＩのすべての値を決定し、ＳＲＩのすべての値に対応するのすべてのＳＲＳリソースを決定する。すべてのＳＲＳリソースースのそれぞれでアップリンクデータを送信するときの利用可能なプリコーダマトリックスの数を決定する。前記ＳＲＩのすべての値に従って決定されたプリコーダマトリックスの数を合計して、第１の合計値を取得し、前記第１の合計値を前記所定の指示情報の候補値の数としてとる。
【００８７】
このようにして、ＳＲＩの候補値の数、ＴＰＭＩ／ＴＲＩ情報の候補値の数、およびＳＲＩとＴＰＭＩ／ＴＲＩ情報の組み合わせの候補値の数を決定する多くの実施方法は、ＳＲＩおよびＴＰＭＩ／ＴＲＩ情報をエンコーディングするための技術的解決サルをさらに改善させるために提案される。
【００８８】
オプションとして、すべてのＳＲＳリソースースのそれぞれでアップリンクデータを送信するときの利用可能なプリコーダマトリックスの数を決定することは、以下とおりである：すべてのＳＲＳリソースの第１のＳＲＳリソースに対応する送信ランクインジケータ情報ＴＲＩのすべての値を決定し、前記第１のＳＲＳリソースはすべてのＳＲＳリソースのいずれかである。前記ＴＲＩのいずれかに対応する利用可能なプリコーダマトリックスの数を決定し、前記ＴＲＩのいずれかに対応する利用可能なプリコーダマトリックスの数に従って、前記第１のＳＲＳリソースでアップリンクデータを送信するときの利用可能なプリコーダマトリックスの数を決定する。
【００８９】
このようにして、各ＳＲＳリソース上でアップリンクデータを送信するときに利用可能なプリコーダマトリックスの数を決定して、ＳＲＩおよびＴＰＭＩ／ＴＲＩ情報をエンコーディングするための技術的解決策をさらに改善させることができる。
【００９０】
オプションとして、以下の５つのタイプを含むがこれらに限定されない、前記第１のＳＲＳリソースに対応するＴＲＩのすべての値を決定する多くの実施方法があり得る。
【００９１】
（１）前記第１のＳＲＳリソースに対応するアンテナポートの数に従って、前記第１のＳＲＳリソースに対応するＴＲＩのすべての値を決定する。たとえば、第１のＳＲＳリソースに対応するアンテナポートの数がＮの場合、前記第１のＳＲＳリソースに対応するＴＲＩの値は、１以上Ｎ以下の正の整数のみである。
【００９２】
（２）前記ＵＥによってサポートされるデータストリームの最大数に従って前記第１のＳＲＳリソースに対応するＴＲＩのすべての値を決定する。たとえば、ＵＥのデータ送信の最大容量は最大２ストリームであるため、第１のＳＲＳリソースに対応するアンテナポートの数が２（たとえば、４）よりも大きい場合でも、前記第１のＳＲＳリソースに対応するＴＲＩの値は「１」または「２」のみである。
【００９３】
（３）前記ＵＥ用の前記ネットワーク装置によって構成されたデータストリームの最大数に従って、前記第１のＳＲＳリソースに対応するＴＲＩのすべての値を決定する。たとえば、ＵＥ用の高位層シグナリングを介してネットワーク装置によって構成されたデータストリームの数は「２」と「４」のみであるため、第１のＳＲＳリソースに対応するＴＲＩの値はすべて「２」または「４」である。
【００９４】
（４）前記第１のＳＲＳリソースに対応するアンテナポートの数および前記ＵＥによってサポートされるデータストリームの最大数に従って、前記第１のＳＲＳリソースに対応するＴＲＩのすべての値を決定する。たとえば、第１のＳＲＳリソースに対応するアンテナポートの数はＮですが、ＵＥのデータ送信の最大容量は最大でＭ、Ｍ<Ｎであるため、前記第１のＳＲＳリソースに対応するＴＲＩの値は１以上、Ｍ以下の正の整数のみである。
【００９５】
（５）前記ＵＥ用の前記ネットワーク装置によって構成されたデータストリームの最大数および前記第１のＳＲＳリソースに対応するアンテナポートの数に従って、前記第１のＳＲＳリソースに対応するＴＲＩのすべての値を決定する。たとえば、ＵＥ用の高位層シグナリングを介してネットワーク装置によって構成されたデータストリームの数は「２」と「４」のみであり、前記第１のＳＲＳリソースに対応するアンテナポートの数はであり、前記第１のＳＲＳリソースに対応するＴＲＩの値は、Ｍ未満の許容されるデータストリームの最大数にしかできない。たとえば、Ｍ＝２の場合、ＴＲＩの値は「２」にしかできない。
【００９６】
このようにして、ＳＲＳリソースに対応するＴＲＩのすべての値を多くの方法で決定して、ＳＲＩおよびＴＰＭＩ／ＴＲＩ情報をエンコーディングするための技術的解決策をさらに改善させることができる。
【００９７】
オプションとして、前記ＴＲＩのいずれかに対応する利用可能なプリコーダマトリックスの数を決定することは、以下とおりである。前記第１のＳＲＳリソースに対応するアンテナポートの数またはＵＥによって許容されたアンテナポートの最大数に従って、前記ＴＲＩのいずれかに対応する利用可能なプリコーダマトリックスの数を決定する。ここで、ＵＥによって許容されたアンテナポートの最大数は、端末のために基地局によって構成された許容されたアンテナポートの最大数であるか、プロトコルで指定されることができる。たとえば、プロトコルが{１、２、４}アンテナポートのみのＳＲＳ送信を許容することを指定している場合、ＵＥによって許容されたアンテナポートの最大数は４である。
【００９８】
具体的には、第１のＳＲＳリソースに対応するアンテナポートの数またはＵＥによって許容されたアンテナポートの最大数に従って、第１のＳＲＳリソースでアップリンクデータを送信するときの利用可能なプリコーダコードブックを決定して、決定されたプリコーダコードブックに従って、前記ＴＲＩのいずれかに対応する利用可能なプリコーダマトリックスの数を決定する。
【００９９】
オプションとして、前記ＴＲＩのいずれかに対応する利用可能なプリコーダマトリックスの数に従って、前記第１のＳＲＳリソースでアップリンクデータを送信するときの利用可能なプリコーダマトリックスの数を決定することは、次の２つの実施方式を含むか、これらに限定されない。
【０１００】
方式（１）：前記ＴＲＩのいずれかに対応する利用可能なプリコーダマトリックスの数に従って、前記ＴＲＩのすべての値に対応する利用可能なプリコーダマトリックスの数を合計して、第２の合計値を算出し、前記第２の合計値を前記第１のＳＲＳリソースでアップリンクデータを送信するときの利用可能なプリコーダマトリックスの数とする。
【０１０１】
方式（２）：前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を前記第１のＳＲＳリソースでアップリンクデータを送信するときの利用可能なプリコーダマトリックスの数とする。
【０１０２】
このようにして、ＳＲＳリソースおよびＳＲＳリソースに対応するＴＲＩのすべての値が決定されると、ＴＲＩの各値に対応する利用可能なプリコーダマトリックスの数は多くの方法で決定され、ＳＲＳリソースでアップリンクデータを送信する際に使用可能なプリコーディングマトリックスの数が決定される。したがって、ＳＲＩリソースおよびＴＰＭＩ／ＴＲＩ情報をエンコーディングするための技術的解決策をさらに改善させる。
【０１０３】
第２の実施形態
本出願の第２の実施形態はダウンリンク制御情報（ＤＣＩ）を送信するための方法を提供し、前記方法は、上述した第１の実施形態の特定の場合の１つである。具体的には、前記方法では：
ネットワーク装置は、ダウンリンク制御情報（ＤＣＩ）内の所定の指示フィールドによって運ばれる所定の指示情報の候補値の数を決定し、前記所定の指示情報は、ＴＰＭＩ／ＴＲＩ情報、またはＳＲＩとＴＰＭＩ／ＴＲＩ情報の組み合わせを含み、前記ＳＲＩは、ユーザー機器用の前記ネットワーク装置によって構成されるＳＲＳリソースの１つを示し、前記ＴＰＭＩ／ＴＲＩ情報は、前記ＳＲＩによって示されるＳＲＳリソースに対応するプリコーダマトリックスおよびランク数を示す。
ネットワーク装置は、前記所定の指示情報の候補値の数に従って前記所定の指示フィールドの長さを決定し、前記長さに従って前記所定の指示情報をエンコーディングし、前記ＤＣＩを生成する。
ネットワーク装置は、端末に前記ＤＣＩを送信する。
【０１０４】
オプションとして、前記所定の指示情報は前記ＴＰＭＩ／ＴＲＩ情報を含み、前記ダウンリンク制御情報（ＤＣＩ）内の所定の指示フィールドによって運ばれる所定の指示情報の候補値の数を決定することは、具体的に、ＤＣＩによって示されるＳＲＩに対応するアンテナポートの数またはＵＥによって許容されたアンテナポートの最大数に従って、前記所定の指示情報の値の可能な数を決定する。
【０１０５】
オプションとして、前記所定の指示情報は、ＳＲＩとＴＰＭＩ／ＴＲＩ情報の組み合わせを含み、前記ダウンリンク制御情報（ＤＣＩ）内の所定の指示フィールドによって運ばれる所定の指示情報の候補値の数を決定することは、具体的に、ＳＲＩの可能な値の数およびＳＲＩのいずれかに対応するアンテナポートの数に従って、前記所定の指示情報の値の可能な数を決定する。
または、ＳＲＩの可能な値の数およびＵＥによって許容されたアンテナポートの最大数に従って、前記所定の指示情報の値の可能な数を決定する。
【０１０６】
第３の実施形態
本出願の第３の実施形態はダウンリンク制御情報（ＤＣＩ）を受信するための方法を提供し、当該方法では、ＵＥは、第１の実施形態による前記方法でダウンリンク制御情報（ＤＣＩ）内の所定の指示フィールドによって運ばれる所定の指示情報の候補値の数を決定し、ＵＥは、前記所定の指示情報の候補値の数に従って前記所定の指示フィールドの長さを決定し、ＵＥは、前記所定の指示フィールドの長さに従って第１の実施形態による前記ネットワーク装置からの前記ＤＣＩを受信する。
【０１０７】
第４の実施形態
本出願の第４の実施形態はダウンリンク制御情報（ＤＣＩ）を送信するための装置を提供し、第１の実施形態による方法を実行することができる。図５に示すように、前記装置は、
ダウンリンク制御情報（ＤＣＩ）内の所定の指示フィールドによって運ばれる所定の指示情報の候補値の数を決定するように構成された第１の決定ユニット１０１であって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ＵＥ用の前記装置によって構成されたＳＲＳリソースの１つを示し、前記ＴＰＭＩ／ＴＲＩ情報は、前記ＳＲＩによって示されるＳＲＳリソースに対応するプリコーダマトリックスおよびランク数を示す前記第１の決定ユニット１０１と、
前記所定の指示情報の候補値の数に従って前記所定の指示フィールドの長さを決定し、前記長さに従って前記所定の指示情報をエンコーディングし、前記ＤＣＩを生成するように構成された第１のエンコーディングユニット１０２と、
前記ＵＥに前記ＤＣＩを送信する第１の送信ユニット１０３とを備える。
【０１０８】
オプションとして、前記所定の指示情報は前記ＳＲＩと前記ＴＰＭＩ／ＴＲＩ情報の組み合わせを含み、前記所定の指示情報は、前記ＵＥ用に構成されたＳＲＳリソースの１つおよび前記ＳＲＩによって示されるＳＲＳリソースに対応するプリコーダマトリックスとランク数を表し、前記第１の決定ユニット１０１は、前記ＳＲＩのすべての値を決定し、前記ＳＲＩの各値は、前記ＵＥ用に構成された１つのＳＲＳリソースを表し、異なる値によって表されるＳＲＳリソースは異なり、前記ＵＥが前記ＳＲＩの各値に示されるＳＲＳリソース上でＳＲＳを送信するときの可能なプリコーダマトリックスの数を決定し、前記ＳＲＩのすべての値に対応する利用可能なプリコーダマトリックスの数を合計して、第１の合計値を取得し、前記第１の合計値を前記所定の指示情報の候補値の数とする。
【０１０９】
オプションとして、前記所定の指示情報は前記ＳＲＩを含み、前記第１の決定ユニット１０１は、前記ＵＥ用に構成されたＳＲＳリソースの総数として前記所定の指示情報を決定し、または、前記ＵＥによってサポートされる送信ビームフォーミングの最大数として前記所定の指示情報の前記候補値の数を決定し、または、所定値として前記所定の指示情報の候補値の数を決定する。
【０１１０】
オプションとして、前記所定の指示情報は前記ＴＰＭＩ／ＴＲＩ情報を含み、前記第１の決定ユニット１０１は、ＤＣＩ信号内の所定の指示フィールドによって運ばれる所定の指示情報の候補値の数を決定する前、前記ＵＥ用の構成されたＳＲＳリソースのいずれか上でＳＲＳを送信するときの可能なプリコーダマトリックスの数を決定し、ＳＲＳリソースと利用可能なプリコーダマトリックスの数の間のマッピングを確立し、および前記ＤＣＩによって示されるターゲットＳＲＳリソースを決定し、および前記マッピングに従って前記ターゲットＳＲＳリソースに対応する利用可能なプリコーダマトリックスの数を決定し、前記ターゲットＳＲＳリソースに対応する利用可能なプリコーダマトリックスの数を前記所定の指示情報の候補値の数とする。
【０１１１】
オプションとして、前記所定の指示情報は前記ＴＰＭＩ／ＴＲＩ情報を含み、前記第１の決定ユニット１０１は、前記ＵＥ用の構成されたＳＲＳリソースのいずれか上でＳＲＳを送信するときの可能なプリコーダマトリックスの数を決定し、および前記ＵＥ用に構成されたＳＲＳリソースに従って決定された利用可能なプリコーダマトリックスの数の最大数を決定し、前記最大数を前記所定の指示情報の候補値の数とする。
【０１１２】
オプションとして、前記所定の指示情報は前記ＴＰＭＩ／ＴＲＩ情報を含み、前記第１の決定ユニット１０１は、前記ＵＥ用に構成されたＳＲＳリソースのいずれかに対応するアンテナポートの数を決定し、前記ＵＥ用に構成されたＳＲＳリソースに対応するアンテナポートの数が最大値であるＳＲＳリソースを決定し、前記所定の指示情報の候補値の数として、前記ＵＥが前記対応するアンテナポートの数が最大値であるＳＲＳリソースＳＲＳを送信するときの可能なプリコーダマトリックスの数を決定する。
【０１１３】
オプションとして、前記第１の決定ユニット１０１は、第１のＳＲＳリソースに対応するＴＲＩのすべての値を決定し、前記第１のＳＲＳリソースは、前記ＵＥ用に構成されたＳＲＳリソースのいずれかであり、前記ＴＲＩのいずれかに対応する利用可能なプリコーダマトリックスの数を決定し、前記ＴＲＩのいずれかに対応する利用可能なプリコーダマトリックスの数に従って、前記ＵＥが前記第１のＳＲＳリソース上でＳＲＳを送信するときの利用可能なプリコーダマトリックスの数を決定する。
【０１１４】
オプションとして、前記第１の決定ユニット１０１は、前記第１のＳＲＳリソースに対応するアンテナポートの数に従って、前記第１のＳＲＳリソースに対応するＴＲＩのすべての値を決定し、または、前記ＵＥによってサポートされるデータストリームの最大数に従って前記第１のＳＲＳリソースに対応するＴＲＩのすべての値を決定し、または、前記ＵＥ用の前記装置によって構成されたデータストリームの最大数に従って、前記第１のＳＲＳリソースに対応するＴＲＩのすべての値を決定する。
【０１１５】
オプションとして、前記第１の決定ユニット１０１は、前記第１のＳＲＳリソースに対応するアンテナポートの数またはＵＥによって許容されたアンテナポートの最大数に従って、前記ＴＲＩのいずれかに対応する利用可能なプリコーダマトリックスの数を決定する。
【０１１６】
オプションとして、前記第１の決定ユニット１０１は、前記ＴＲＩのいずれかに対応する利用可能なプリコーダマトリックスの数に従って、前記ＴＲＩのすべての値に対応する利用可能なプリコーダマトリックスの数を合計して、第２の合計値を算出し、前記第２の合計値を前記ＵＥが前記第１のＳＲＳリソース上でＳＲＳを送信するときの利用可能なプリコーダマトリックスの数とし、または、前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を前記ＵＥが前記第１のＳＲＳリソース上でＳＲＳを送信するときの利用可能なプリコーダマトリックスの数とする。
【０１１７】
第５の実施形態
本出願の第５の実施形態は、ダウンリンク制御情報（ＤＣＩ）を送信するための装置を提供し、上述の第２の実施形態による方法を実行する。前記装置は、ダウンリンク制御情報（ＤＣＩ）内の所定の指示フィールドによって運ばれる所定の指示情報の候補値の数を決定するように構成された第２の決定ユニットであって、前記所定の指示情報は、ＴＰＭＩ／ＴＲＩ情報、またはＳＲＩとＴＰＭＩ／ＴＲＩ情報の組み合わせを含み、前記ＳＲＩは、ＵＥ用の前記装置によって構成されたＳＲＳリソースの１つを示し、前記ＴＰＭＩ／ＴＲＩ情報は、前記ＳＲＩによって示されるＳＲＳリソースに対応するプリコーダマトリックスおよびランク数を示す前記第２の決定ユニットと、前記所定の指示情報の候補値の数に従って前記所定の指示フィールドの長さを決定し、前記長さに従って前記所定の指示情報をエンコーディングし、前記ＤＣＩを生成するように構成された第２のエンコーディングユニットと、前記ＵＥに前記ＤＣＩを送信するように構成された第２の送信ユニットとを備える。
【０１１８】
オプションとして、前記所定の指示情報は前記ＴＰＭＩ／ＴＲＩ情報を含み、前記第２の決定ユニットは、ＤＣＩによって示されるＳＲＩに対応するアンテナポートの数またはＵＥによって許容されたアンテナポートの最大数に従って、前記所定の指示情報の値の可能な数を決定する。
【０１１９】
オプションとして、前記所定の指示情報は、ＳＲＩとＴＰＭＩ／ＴＲＩ情報の組み合わせを含み、前記第２の決定ユニットは、ＳＲＩの可能な値の数およびＳＲＩのいずれかに対応するアンテナポートの数に従って、前記所定の指示情報の値の可能な数を決定し、または、ＳＲＩの可能な値の数およびＵＥによって許容されたアンテナポートの最大数に従って、前記所定の指示情報の値の可能な数を決定する。
【０１２０】
第６の実施形態
本出願の第６の実施形態は、ダウンリンク制御情報（ＤＣＩ）を受信するための装置を提供し、上述の第３の実施形態による方法を実行する。前記装置は、第３の実施形態による方法でダウンリンク制御情報（ＤＣＩ）内の所定の指示フィールドによって運ばれる所定の指示情報の候補値の数を決定し、前記所定の指示情報の候補値の数に従って前記所定の指示フィールドの長さを決定するように構成された第３の決定ユニットと、前記所定の指示フィールドの長さに従ってネットワーク装置によって送信された前記ＤＣＩを受信するように構成された受信ユニットとを備える。
【０１２１】
図６に示すように、本出願の実施形態の第７の態様にるダウンリンク制御情報（ＤＣＩ）を送信するための装置は、
プログラム命令を格納するように構成されたメモリと、
前記メモリに格納されたプログラム命令を読み出し、取得されたプログラムに従って以下のように実行するように構成されたプロセッサとを備える。
【０１２２】
前記プロセッサは、ダウンリンク制御情報（ＤＣＩ）内の所定の指示フィールドによって運ばれる所定の指示情報の候補値の数を決定し、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用のネットワーク装置によって構成されたＳＲＳリソースの１つを表し、前記ＴＰＭＩ／ＴＲＩ情報は、前記ＳＲＩによって示されるＳＲＳリソースに対応するプリコーダマトリックスおよびランク数を示す。
前記所定の指示情報の候補値の数に従って前記所定の指示フィールドの長さを決定し、前記長さに従って前記所定の指示情報をエンコーディングし、前記ＤＣＩを生成する。
前記ＵＥに前記ＤＣＩを送信する。
送受信機５１０は、プロセッサ５００の制御の下でデータを送受信する。
【０１２３】
ここで、図６において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バズアーキテクチャ及び通常の処理を管理し、メモリ５２０は、プロセッサ５００が動作する際に利用するデータを記憶することができる。
【０１２４】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出きる。
【０１２５】
図７に示すように、本出願の実施形態の第８の態様によるダウンリンク制御情報（ＤＣＩ）を受信するための装置は、
プログラム命令を格納するように構成されたメモリと、
前記メモリに格納されたプログラム命令を読み出し、取得されたプログラムに従って以下のように実行するように構成されたプロセッサとを備える。
【０１２６】
前記プロセッサは、ダウンリンク制御情報（ＤＣＩ）内の所定の指示フィールドによって運ばれる所定の指示情報の候補値の数を決定し、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用のネットワーク装置によって構成されたＳＲＳリソースの１つを表し、前記ＴＰＭＩ／ＴＲＩ情報は、前記ＳＲＩによって示されるＳＲＳリソースに対応するプリコーダマトリックスおよびランク数を示す。
前記所定の指示情報の候補値の数に従って前記所定の指示フィールドの長さを決定する。
前記所定の指示フィールドの長さに従って前記ＤＣＩを受信する。
送受信機６１０は、プロセッサ６００の制御の下でデータを送受信する。
【０１２７】
図７において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６３０は、複数の部品であることができ、即ち、送信機及び受信機を備え、伝送媒体を介して他の装置と通信するユニットを提供する。異なるユーザー設備に対し、ユーザーインターフェース８３０は、外部接続または内部接続に必要な設備のインターフェースであることもできる。接続する設備は、キーパッド、ディスプレー、スピーカー、マイクロホン、ジョイスティック等を備えるが、これに限られない。
【０１２８】
プロセッサ６００は、バズアーキテクチャ及び通常の処理を管理し、メモリ６２０は、プロセッサ６００が動作する際に利用するデータを記憶することができる。
【０１２９】
オプションとして、プロセッサ６００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出きる。
【０１３０】
本出願の実施形態による方法は、端末装置またはネットワーク装置に適用できる。
【０１３１】
また、本発明に係る実施形態において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【０１３２】
本発明に係る実施形態において、基地局（例えば、接続点）は、ＡＮ（Ａｃｃｅｓｓ Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）または５ＧシステムにおけるｇＮＢであってもよいが、本発明をそれに限定しない。
【０１３３】
本出願の実施形態は、プロセッサによって実行されると、上述の本出願の実施形態によるいずれかの方法を実行するように構成された上述の本出願の実施形態による装置に利用されるコンピュータプログラムを記憶するコンピュータ可読記憶媒体を、提供する。
【０１３４】
前記コンピュータ記憶媒体は、磁気メモリ（例えば、フロッピー（登録商標）ディスク、ハードディスク、磁気テープ、磁気光学ディスク（ＭＯ）など）、光学メモリ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ）、ソリッドステートディスク（ＳＳＤ））などを含むがこれらに限定されない、コンピュータにアクセス可能な任意の利用可能な媒体またはデータ記憶装置であり得る。
【０１３５】
要約すると、本願の実施形態で提供される１つ以上の技術的解決策は、少なくとも以下の技術的効果または利点を有する。
【０１３６】
１．本出願の実施形態ＳＲＩおよびＴＰＭＩ／ＴＲＩをエンコーディングするための特定の実施方法が提案され、具体的には、ＳＲＩおよびＴＰＭＩ／ＴＲＩを別々にエンコーディングおよびジョイントエンコーディングする実施が提案される。別々ににエンコーディングする場合、ＳＲＩのエンコーディングに必要なフィールド長は、ＳＲＩの候補値の数に応じて決定される。ＴＰＭＩ／ＴＲＩ情報のエンコーディングに必要なフィールド長は、ＴＰＭＩ／ＴＲＩ情報の候補値の数に応じて決定される。ジョイントエンコーディングする場合、ジョイントエンコーディングするのに必要なフィールド長は、ＳＲＩの候補値の数およびＴＰＭＩ／ＴＲＩ情報の候補値の数に応じて決定される。本解決策は、既存のプロトコルおよび通信システムにＳＲＩおよびＴＰＭＩ／ＴＲＩ情報を効果的にエンコーディングする方法がないという技術的問題を解決する。
【０１３７】
２．本出願の実施形態は、ＳＲＩの候補値の数、ＴＰＭＩ／ＴＲＩ情報の候補値の数、およびＳＲＩとＴＰＭＩ／ＴＲＩ情報の組み合わせの候補値の数を決定する多くの特定の実施方法を提案する。ＴＰＭＩ／ＴＲＩ情報。ＳＲＩおよびＴＰＭＩ／ＴＲＩ情報をエンコーディングするための技術的解決策をさらに改善させる。
【０１３８】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を組み合わせした実施形態を採用できることがわかるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１３９】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの組み合わせを実現できる。プロセッサはこれらのコンピュータプログラム命令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム命令を実行し、フロー図における一つまたは複数のフローおよび／またはブロック図における一つまたは複数のブロックに指定する機能を実現する。
【０１４０】
これらのコンピュータプログラム命令は、また、コンピュータまたは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つまたは複数のフローおよび／またはブロック図における一つまたは複数のブロックに指定する機能を実現する。
【０１４１】
これらコンピュータプログラム命令はさらに、コンピュータまたは他のプログラム可能なデータ処理装置設備に実施もできる。コンピュータプログラム命令が実施されたコンピュータまたは他のプログラム可能設備は、一連の操作ステップを実行することによって、関連の処理を実現し、コンピュータまたは他のプログラム可能な設備において実行される命令によって、フロー図における一つまたは複数のフローおよび／またはブロック図における一つまたは複数のブロックに指定する機能を実現する。
【０１４２】
上述した実施形態に記述された技術的な解決手段を改造し、またはその中の一部の技術要素を置換することもできる。そのような、改造と置換は本発明の各実施形態の技術の範囲から逸脱するとは見なされない。
【０１４３】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１４４】
１０１  第１の決定ユニット
１０２  第１のエンコーディングユニット
１０３  第１の送信ユニット
５００  プロセッサ
５１０  送受信機
５２０  メモリ
６００  プロセッサ
６１０  送受信機
６２０  メモリ
６３０  ユーザーインターフェース
【図１】
2020523931.tif 000010
【図２】
2020523931.tif 000011
【図３】
2020523931.tif 000012
【図４】
2020523931.tif 000013
【図５】
2020523931.tif 000014
【図６】
2020523931.tif 000015
【図７】
2020523931.tif 000016
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
ネットワーク装置が、ダウンリンク制御情報（ＤＣＩ）内の所定の指示フィールドによって運ばれる所定の指示情報の候補値を決定するステップであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器（ＵＥ）用の前記ネットワーク装置によって構成されるサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示す、ステップと、
前記ネットワーク装置が、前記所定の指示情報の候補値に従って前記所定の指示情報をエンコーディングし、前記ＤＣＩを生成するステップと、
前記ネットワーク装置が、前記ＵＥに前記ＤＣＩを送信するステップと
を有することを特徴とするダウンリンク制御情報（ＤＣＩ）を送信するための方法。
【請求項２】
前記所定の指示情報は、前記ＳＲＩと前記ＴＰＭＩ／ＴＲＩ情報の組み合わせを含み、
前記ネットワーク装置は、ＤＣＩ内の所定の指示フィールドによって運ばれる所定の指示情報の候補値を決定するとき、
前記ＳＲＩのすべての値を決定し、
前記ＵＥが前記ＳＲＩの各値に示されるＳＲＳリソース上でＳＲＳを送信するときの可能なプリコーダマトリックスを決定し、
前記プリコーダマトリックスを前記所定の指示情報の候補値とし、
または、
前記所定の指示情報は前記ＴＰＭＩ／ＴＲＩ情報を含み、
前記ネットワーク装置は、ＤＣＩ内の所定の指示フィールドによって運ばれる所定の指示情報の候補値を決定する前に、さらに、
前記ＵＥ用に構成されたＳＲＳリソースのいずれか上でＳＲＳを送信するときの可能なプリコーダマトリックスを決定し、ＳＲＳリソースと利用可能なプリコーダマトリックスの間のマッピングを確立し、
前記ネットワーク装置は、ＤＣＩ内の所定の指示フィールドによって運ばれる所定の指示情報の候補値を決定するとき、
前記ＤＣＩによって示されるターゲットＳＲＳリソースを決定し、
前記マッピングに従って前記ターゲットＳＲＳリソースに対応する利用可能なプリコーダマトリックスを決定し、前記ターゲットＳＲＳリソースに対応する利用可能なプリコーダマトリックスを、前記所定の指示情報の候補値とし、
または、
前記所定の指示情報は前記ＴＰＭＩ／ＴＲＩ情報を含み、
前記ダウンリンク制御情報（ＤＣＩ）内の所定の指示フィールドによって運ばれる所定の指示情報の候補値を決定するとき、
ＤＣＩによって示されるＳＲＩに対応するアンテナポートの数またはＵＥによって許容されたアンテナポートの最大数に従って、前記所定の指示情報の候補値を決定し、
または、
前記所定の指示情報は、前記ＳＲＩと前記ＴＰＭＩ／ＴＲＩ情報の組み合わせを含み、
前記ダウンリンク制御情報（ＤＣＩ）内の所定の指示フィールドによって運ばれる所定の指示情報の候補値を決定するとき、
ＳＲＩの可能な値の数およびＳＲＩのいずれかに対応するアンテナポートの数に従って、前記所定の指示情報の候補値を決定し、もしくは
ＳＲＩの可能な値の数およびＵＥによって許容されたアンテナポートの最大数に従って、前記所定の指示情報の候補値を決定することを特徴とする請求項１に記載のダウンリンク制御情報（ＤＣＩ）を送信するための方法。
【請求項３】
前記ネットワーク装置は、前記所定の指示情報の候補値に従って前記所定の指示情報をエンコーディングするとき、
前記ネットワーク装置は、前記所定の指示情報の候補値の数に従って、前記所定の指示フィールドの長さを決定し、前記長さに従って前記所定の指示情報をエンコーディングすることを特徴とする請求項１に記載のダウンリンク制御情報（ＤＣＩ）を送信するための方法。
【請求項４】
前記所定の指示情報は前記ＳＲＩを含み、
前記所定の指示情報の前記候補値の数は、前記ＵＥ用に構成されたＳＲＳリソースの総数であり、または、
前記所定の指示情報の前記候補値の数は、前記ＵＥによってサポートされる送信ビームフォーミングの最大数であり、または、
前記所定の指示情報の前記候補値の数は、所定値であることを特徴とする請求項３に記載のダウンリンク制御情報（ＤＣＩ）を送信するための方法。
【請求項５】
前記所定の指示情報は前記ＴＰＭＩ／ＴＲＩ情報を含み、
前記ネットワーク装置は、前記所定の指示情報の候補値の数に従って、前記所定の指示フィールドの長さを決定するとき、
前記ＵＥ用に構成されたＳＲＳリソースの中でプリコーダマトリックスの数が最大であるＳＲＳリソースに対応する所定の指示フィールドの長さとして、前記所定の指示フィールドの長さを決定し、
または、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を、前記ＵＥが前記第１のＳＲＳリソース上でＳＲＳを送信するときの前記所定の指示情報の候補値の数とすることを特徴とする請求項３に記載のダウンリンク制御情報（ＤＣＩ）を送信するための方法。
【請求項６】
前記所定の指示情報は前記ＴＰＭＩ／ＴＲＩ情報を含み、
前記ネットワーク装置は、前記所定の指示情報の候補値に従って前記所定の指示情報をエンコーディングするとき、
前記ＵＥ用に構成されたＳＲＳリソースのいずれかに対応するアンテナポートの数を決定し、
前記アンテナポートの数の最大値に従って前記所定の指示フィールドの長さを決定し、前記長さに従って前記所定の指示情報をエンコーディングする動作と、
ユーザー機器（ＵＥ）用のネットワーク装置によって構成されたデータストリームの最大数に従って、前記所定の指示フィールドの長さを決定し、前記長さに従って前記所定の指示情報をエンコーディングする動作と、
前記ＵＥによってサポートされるデータストリームの最大数に従って前記所定の指示フィールドの長さを決定し、前記長さに従って前記所定の指示情報をエンコーディングする動作と、
ユーザー機器（ＵＥ）用のネットワーク装置によって構成されたＳＲＳリソースに対応するアンテナポートの数に従って、前記所定の指示フィールドの長さを決定し、前記長さに従って前記所定の指示情報をエンコーディングする動作と
のうちの少なくとも１つの動作を実行することを特徴とする請求項１に記載のダウンリンク制御情報（ＤＣＩ）を送信するための方法。
【請求項７】
前記ＵＥ用に構成されたＳＲＳリソースのいずれか上でＳＲＳを送信するときの可能なプリコーダマトリックスを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスを決定し、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定することを特徴とする請求項２に記載のダウンリンク制御情報（ＤＣＩ）を送信するための方法。
【請求項８】
前記第１のＳＲＳリソースに対応するＴＲＩのすべての値を決定するとき、
前記第１のＳＲＳリソースに対応するアンテナポートの数に従って、前記第１のＳＲＳリソースに対応するＴＲＩのすべての値を決定し、および／または
前記ＵＥによってサポートされるデータストリームの最大数に従って、前記第１のＳＲＳリソースに対応するＴＲＩのすべての値を決定し、および／または
前記ＵＥ用の前記ネットワーク装置によって構成されたデータストリームの最大数に従って、前記第１のＳＲＳリソースに対応するＴＲＩのすべての値を決定し、
および／または、
前記ＴＲＩのいずれかに対応する利用可能なプリコーダマトリックスを決定するとき、
前記第１のＳＲＳリソースに対応するアンテナポートの数またはＵＥによって許容されたアンテナポートの最大数に従って、前記ＴＲＩのいずれかに対応する利用可能なプリコーダマトリックスを決定し、
および／または、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定するとき、
前記ＴＲＩのいずれかに対応する利用可能なプリコーダマトリックスに従って、前記ＴＲＩのすべての値に対応する利用可能なプリコーダマトリックスの集合を、前記ＵＥが前記第１のＳＲＳリソース上でＳＲＳを送信するときの利用可能なプリコーダマトリックスとすることを特徴とする請求項７に記載のダウンリンク制御情報（ＤＣＩ）を送信するための方法。
【請求項９】
ユーザー機器（ＵＥ）が、ダウンリンク制御情報（ＤＣＩ）内の所定の指示フィールドによって運ばれる所定の指示情報の候補値を決定するステップであって、前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器用のネットワーク装置によって構成されるサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示す、ステップと、
前記ＵＥが、前記ＤＣＩを受信し、前記所定の指示情報の候補値に従って前記所定の指示情報をデコーディングするステップと
を有することを特徴とするダウンリンク制御情報（ＤＣＩ）を受信するための方法。
【請求項１０】
前記所定の指示情報は、前記ＳＲＩと前記ＴＰＭＩ／ＴＲＩ情報の組み合わせを含み、
前記ＵＥは、ＤＣＩ内の所定の指示フィールドによって運ばれる所定の指示情報の候補値を決定するとき、
前記ＳＲＩのすべての値を決定し、
前記ＵＥが前記ＳＲＩの各値に示されるＳＲＳリソース上でＳＲＳを送信するときの可能なプリコーダマトリックスを決定し、
前記プリコーダマトリックスを前記所定の指示情報の候補値とし、
または、
前記所定の指示情報は前記ＴＰＭＩ／ＴＲＩ情報を含み、
前記ＵＥは、ＤＣＩ内の所定の指示フィールドによって運ばれる所定の指示情報の候補値を決定する前に、さらに、
前記ＵＥ用に構成されたＳＲＳリソースのいずれか上でＳＲＳを送信するときの可能なプリコーダマトリックスを決定し、ＳＲＳリソースと利用可能なプリコーダマトリックスの間のマッピングを確立し、
前記ＵＥは、ＤＣＩ内の所定の指示フィールドによって運ばれる所定の指示情報の候補値を決定するとき、
前記ＤＣＩによって示されるターゲットＳＲＳリソースを決定し、
前記マッピングに従って前記ターゲットＳＲＳリソースに対応する利用可能なプリコーダマトリックスを決定し、前記ターゲットＳＲＳリソースに対応する利用可能なプリコーダマトリックスを、前記所定の指示情報の候補値とし、
または、
前記所定の指示情報は前記ＴＰＭＩ／ＴＲＩ情報を含み、
前記ダウンリンク制御情報（ＤＣＩ）内の所定の指示フィールドによって運ばれる所定の指示情報の候補値を決定するとき、
ＤＣＩによって示されるＳＲＩに対応するアンテナポートの数またはＵＥによって許容されたアンテナポートの最大数に従って、前記所定の指示情報の候補値を決定し、
または、
前記所定の指示情報は、前記ＳＲＩと前記ＴＰＭＩ／ＴＲＩ情報の組み合わせを含み、
前記ダウンリンク制御情報（ＤＣＩ）内の所定の指示フィールドによって運ばれる所定の指示情報の候補値を決定するとき、
ＳＲＩの可能な値の数およびＳＲＩのいずれかに対応するアンテナポートの数に従って、前記所定の指示情報の候補値を決定し、もしくは
ＳＲＩの可能な値の数およびＵＥによって許容されたアンテナポートの最大数に従って、前記所定の指示情報の候補値を決定することを特徴とする請求項９に記載のダウンリンク制御情報（ＤＣＩ）を受信するための方法。
【請求項１１】
前記所定の指示情報の候補値に従って前記所定の指示情報をデコーディングするとき、
前記ＵＥは、前記所定の指示情報の候補値の数に従って、前記所定の指示フィールドの長さを決定し、前記長さに従って前記所定の指示情報をデコーディングすることを特徴とする請求項９に記載のダウンリンク制御情報（ＤＣＩ）を受信するための方法。
【請求項１２】
前記所定の指示情報は前記ＳＲＩを含み、
前記所定の指示情報の候補値の数は、前記ＵＥ用に構成されたＳＲＳリソースの総数であり、または、
前記所定の指示情報の候補値の数は、前記ＵＥによってサポートされる送信ビームフォーミングの最大数であり、または、
前記所定の指示情報の候補値の数は、所定値であることを特徴とする請求項１１に記載のダウンリンク制御情報（ＤＣＩ）を受信するための方法。
【請求項１３】
前記所定の指示情報は前記ＴＰＭＩ／ＴＲＩ情報を含み、
前記ＵＥは、前記所定の指示情報の候補値の数に従って、前記所定の指示フィールドの長さを決定するとき、
前記ＵＥ用に構成されたＳＲＳリソースの中でプリコーダマトリックスの数が最大であるＳＲＳリソースに対応する所定の指示フィールドの長さとして、前記所定の指示フィールドの長さを決定し、
または、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスの数に従って、前記ＴＲＩのすべての値に対応する利用可能なプリコーダマトリックスの数の最大値を決定し、前記最大値に前記ＴＲＩのすべての値の数を掛けて、第１の積を取得し、前記第１の積を、前記ＵＥが前記第１のＳＲＳリソース上でＳＲＳを送信するときの前記所定の指示情報の候補値の数とすることを特徴とする請求項１１に記載のダウンリンク制御情報（ＤＣＩ）を受信するための方法。
【請求項１４】
前記所定の指示情報は前記ＴＰＭＩ／ＴＲＩ情報を含み、
前記所定の指示情報の候補値に従って前記所定の指示情報をデコーディングするとき、
前記ＵＥ用に構成されたＳＲＳリソースのいずれかに対応するアンテナポートの数を決定し、
前記アンテナポートの数の最大値に従って前記所定の指示フィールドの長さを決定し、前記長さに従って前記所定の指示情報をデコーディングする動作と、
ユーザー機器（ＵＥ）用のネットワーク装置によって構成されたデータストリームの最大数に従って、前記所定の指示フィールドの長さを決定し、前記長さに従って前記所定の指示情報をデコーディングする動作と、
前記ＵＥによってサポートされるデータストリームの最大数に従って前記所定の指示フィールドの長さを決定し、前記長さに従って前記所定の指示情報をデコーディングする動作と、
ユーザー機器（ＵＥ）用のネットワーク装置によって構成されたＳＲＳリソースに対応するアンテナポートの数に従って、前記所定の指示フィールドの長さを決定し、前記長さに従って前記所定の指示情報をデコーディングする動作と
のうちの少なくとも１つの動作を実行することを特徴とする請求項９に記載のダウンリンク制御情報（ＤＣＩ）を受信するための方法。
【請求項１５】
前記ＵＥ用に構成されたＳＲＳリソースのいずれか上でＳＲＳを送信するときの可能なプリコーダマトリックスを決定するとき、
第１のＳＲＳリソースに対応するＴＲＩのすべての値を決定し、前記第１のＳＲＳリソースは、前記ＵＥ用に構成されたＳＲＳリソースのいずれかであり、
前記ＴＲＩのいずれかに対応する利用可能なプリコーダマトリックスを決定し、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定することを特徴とする請求項１０に記載のダウンリンク制御情報（ＤＣＩ）を受信するための方法。
【請求項１６】
前記第１のＳＲＳリソースに対応するＴＲＩのすべての値を決定するとき、
前記第１のＳＲＳリソースに対応するアンテナポートの数に従って、前記第１のＳＲＳリソースに対応するＴＲＩのすべての値を決定し、および／または
前記ＵＥによってサポートされるデータストリームの最大数に従って、前記第１のＳＲＳリソースに対応するＴＲＩのすべての値を決定し、および／または
前記ＵＥ用の前記ネットワーク装置によって構成されたデータストリームの最大数に従って、前記第１のＳＲＳリソースに対応するＴＲＩのすべての値を決定し、
および／または、
前記ＴＲＩのいずれかに対応する利用可能なプリコーダマトリックスを決定するとき、
前記第１のＳＲＳリソースに対応するアンテナポートの数またはＵＥによって許容されたアンテナポートの最大数に従って、前記ＴＲＩのいずれかに対応する利用可能なプリコーダマトリックスを決定し、
および／または、
前記ＴＲＩのいずれかに対応する利用可能なプリコーダマトリックスに従って、前記ＵＥが前記第１のＳＲＳリソース上でＳＲＳを送信するときの利用可能なプリコーダマトリックスを決定するとき、
前記ＴＲＩのいずれかに対応する利用可能なプリコーダマトリックスに従って、前記ＴＲＩのすべての値に対応する利用可能なプリコーダマトリックスの集合を、前記ＵＥが前記第１のＳＲＳリソース上でＳＲＳを送信するときの利用可能なプリコーダマトリックスとすることを特徴とする請求項１５に記載のダウンリンク制御情報（ＤＣＩ）を受信するための方法。
【請求項１７】
ダウンリンク制御情報（ＤＣＩ）内の所定の指示フィールドによって運ばれる所定の指示情報の候補値を決定するように構成された第１の決定ユニットと、
前記所定の指示情報の候補値に従って前記所定の指示情報をエンコーディングし、前記ＤＣＩを生成するように構成された第１のエンコーディングユニットと、
ユーザー機器（ＵＥ）に前記ＤＣＩを送信するように構成された第１の送信ユニットと
を備え、
前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ＵＥ用の装置によって構成されたサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示すことを特徴とするダウンリンク制御情報（ＤＣＩ）を送信するための装置。
【請求項１８】
ダウンリンク制御情報（ＤＣＩ）内の所定の指示フィールドによって運ばれる所定の指示情報の候補値を決定するように構成された第３の決定ユニットと、
前記ＤＣＩを受信し、前記所定の指示情報の候補値に従って前記所定の指示情報をデコーディングするように構成された受信ユニットと
を備え、
前記所定の指示情報は、サウンディング基準信号リソースインジケータ（ＳＲＩ）、送信プリコーダマトリックスインジケータ（ＴＰＭＩ）／送信ランクインジケータ（ＴＲＩ）情報のうちの少なくとも１つを含み、前記ＳＲＩは、ユーザー機器用のネットワーク装置によって構成されるサウンディング基準信号（ＳＲＳ）リソースの１つを示し、前記ＴＰＭＩ／ＴＲＩ情報は、前記ＳＲＩによって示されるＳＲＳリソースに対応するプリコーダマトリックスおよびランク数を示すことを特徴とするダウンリンク制御情報（ＤＣＩ）を受信するための装置。
【国際調査報告】
2020523931.tif 000017
2020523931.tif 000018
2020523931.tif 000019
2020523931.tif 000020
2020523931.tif 000021
2020523931.tif 000022